(57)【要約】【課題】作業対象機器に関する情報の秘密性を保つことが可能な表示端末、作業対象機器、及びマニュアル閲覧システムを提供する。【解決手段】表示端末は、作業対象機器との間の距離が所定距離未満となっている場合に、作業対象機器に対する所定の入力操作を促すための許可要求データを表示させる（Ｓ６３）。作業対象機器では、所定の入力操作がなされた場合に、表示端末に対してマニュアル表示データの表示を許可する表示許可信号を送信する。表示端末では、作業対象機器との間の距離が継続して所定距離未満である状態で（Ｓ６５：ＹＥＳ）、作業対象機器より作業終了を通知する信号を受信しておらず（Ｓ６７：ＮＯ）、表示許可信号を受信した場合に（Ｓ６９：ＹＥＳ）、作業対象機器のマニュアル表示データを表示させる（Ｓ７１）。これにより、秘密性の高い表示データが容易に表示されてしまうことを防止する。【選択図】図９
2010049600.tif 000002
【特許請求の範囲】
【請求項１】
作業対象機器におけるマニュアルの表示データを表示する表示端末であって、
前記表示データを表示させる表示手段と、
前記表示データを記憶する端末記憶手段と、
前記作業対象機器より送信された信号を受信する端末受信手段と、
前記作業対象機器との間の距離を判断する端末距離判断手段と、
前記端末距離判断手段において、前記作業対象機器との間の距離が所定未満であると判断されている場合に、前記端末受信手段による信号の受信を許可し、前記作業対象機器より送信される信号を待ち受ける第一許可手段と、
前記第一許可手段にて信号の受信が許可されている状態で、前記端末受信手段により信号を受信した場合に、当該信号が、前記表示手段への表示データの表示を許可するために前記作業対象機器に対して所定の入力がなされた場合に当該作業対象機器より送信される信号である表示許可信号であるか否かを判断する表示許可判断手段と、
前記表示許可判断手段において、受信した信号が表示許可信号であると判断した場合に、前記表示データの前記表示手段への表示を許可する第二許可手段と、
前記第二許可手段にて前記表示データの表示が許可された状態において、当該表示データを前記表示手段に表示させる制御を行う第一表示制御手段と
を備えた表示端末。
【請求項２】
前記第二許可手段にて前記表示手段への前記表示データの表示が許可されている状態で、前記端末距離判断手段において、前記作業対象機器との間の距離が所定以上であると判断された場合に、前記表示手段への前記表示データの表示を禁止する離隔禁止手段を備え、
前記第一表示制御手段は、
前記離隔禁止手段にて表示が禁止された場合には、前記表示手段に前記表示データを表示させないことを特徴とする請求項１に記載の表示端末。
【請求項３】
前記第二許可手段にて前記表示手段への前記表示データの表示が許可されている状態で、前記端末受信手段により信号を受信した場合に、当該信号が、前記作業対象機器に対する所定の作業が終了した場合に当該作業対象機器より送信される信号である終了通知信号であるか否かを判断する終了通知判断手段と、
前記終了通知判断手段において、受信した信号が前記終了通知信号であると判断した場合に、前記表示手段への前記表示データの表示を禁止する通知禁止手段と
を備え、
前記第一表示制御手段は、
前記通知禁止手段にて表示が禁止された場合には、前記表示手段に前記表示データを表示させないことを特徴とする請求項１又は２に記載の表示端末。
【請求項４】
前記第一許可手段にて信号の受信が許可されている状態、または、前記第二許可手段にて前記表示手段への前記表示データの表示が許可されている状態で、前記端末受信手段により信号を受信した場合に、当該信号が、前記作業対象機器より送信される表示データであるか否かを判断する表示データ判断手段と、
前記表示データ判断手段において、受信した信号が前記表示データであると判断した場合に、当該表示データを前記端末記憶手段に記憶する端末記憶制御手段と
を備えたことを特徴とする請求項１乃至３のいずれかに記載の表示端末。
【請求項５】
前記第一許可手段にて前記表示手段への前記表示データの表示が許可されている状態で、前記端末受信手段により信号を受信した場合に、当該信号が、前記作業対象機器より送信される表示データであって、当該作業対象機器に対して前記表示許可信号の送信を促すために前記表示手段に表示させる表示データである許可要求データであるか否かを判断する許可要求データ判断手段と、
前記許可要求データ判断手段において、受信した信号が前記許可要求データであると判断した場合に、当該許可要求データを前記表示手段に表示させる制御を行う第二表示制御手段と
を備えたことを特徴とする請求項１乃至４のいずれかに記載の表示端末。
【請求項６】
前記端末記憶手段には、前記作業対象機器に対して前記表示許可信号の送信を促すために前記表示手段に表示させる表示データである許可要求データが記憶されており、
前記第一許可手段にて前記表示手段への前記表示データの表示が許可されている状態で、前記端末受信手段により信号を受信した場合に、当該信号が、前記許可要求データの前記表示手段への表示を指示するために前記作業対象機器より送信される信号である表示指示信号であるか否かを判断する表示指示判断手段と、
前記表示指示判断手段において、受信した信号が前記表示指示信号であると判断した場合に、前記許可要求データを前記表示手段に表示させる制御を行う第二表示制御手段と
を備えたことを特徴とする請求項１乃至４のいずれかに記載の表示端末。
【請求項７】
ＲＦＩＤリーダを備えており、
前記端末距離判断手段は、
前記作業対象機器に設けられているＲＦＩＤタグより送信される電波信号を前記ＲＦＩＤリーダにて受信可能である場合に、当該作業対象機器との間の距離が所定未満であると判断し、
前記ＲＦＩＤタグより送信される電波信号が前記ＲＦＩＤリーダにて受信不可能である場合に、前記作業対象機器との間の距離が所定以上であると判断することを特徴とする請求項１乃至６のいずれかに記載の表示端末。
【請求項８】
ＲＦＩＤタグを備えており、
前記端末距離判断手段は、
前記作業対象機器に設けられているＲＦＩＤリーダより送信される電波信号を前記ＲＦＩＤタグにて受信可能である場合に、当該作業対象機器との間の距離が所定未満であると判断し、
前記ＲＦＩＤリーダより送信される電波信号が前記ＲＦＩＤタグにて受信不可能である場合に、前記作業対象機器との間の距離が所定以上であると判断することを特徴とする請求項１乃至６のいずれかに記載の表示端末。
【請求項９】
前記表示データに関する指示を入力する端末入力手段を備え、
前記第一表示制御手段は、
前記第二許可手段において前記表示データの前記表示手段への表示が許可された状態で、前記端末入力手段より当該表示データの表示の指示が入力された場合に、当該表示データを前記表示手段に表示させる制御を行うことを特徴とする請求項１乃至８のいずれかに記載の表示端末。
【請求項１０】
作業対象機器であって、
入力を受け付けるための入力手段である機器入力手段と、
前記作業対象機器のマニュアルの表示データを表示可能な表示端末に対して信号を送信する機器送信手段と、
前記表示端末との間の距離を判断する機器距離判断手段と、
前記機器距離判断手段において、前記表示端末との間の距離が所定未満であると判断されている場合に、前記機器入力手段に所定の入力がなされたか否かを判断する機器入力判断手段と、
前記機器入力判断手段において、所定の入力がなされたと判断した場合に、前記表示端末に対して、データの表示を許可する信号である表示許可信号を前記機器送信手段より送信する制御を行う許可送信制御手段と
を備えた作業対象機器。
【請求項１１】
前記作業対象機器に対する所定の作業が終了したことを検出する終了検出手段と、
前記終了検出手段にて所定の作業が終了したことを検出した場合に、前記表示端末に対して所定の作業が終了したことを通知する為の信号である終了通知信号を前記機器送信手段より送信する制御を行う終了通知送信制御手段と
を備えたことを特徴とする請求項１０に記載の作業対象機器。
【請求項１２】
マニュアルの表示データを記憶する機器記憶手段と、
前記機器距離判断手段において、前記表示端末との間の距離が所定未満であると判断された場合、又は、前記機器入力判断手段にて所定の入力がなされたと判断された場合に、前記表示データを前記機器送信手段より送信する制御を行う表示データ送信制御手段と
を備えたことを特徴とする請求項１０又は１１に記載の作業対象機器。
【請求項１３】
前記機器距離判断手段において、前記表示端末との間の距離が所定未満であると判断されている場合に、前記作業対象機器に対して前記表示許可信号の送信を促すために前記表示端末に表示させる表示データである許可要求データを、前記機器送信手段より送信する制御を行う許可要求送信制御手段を備えたことを特徴とする請求項１０乃至１２のいずれかに記載の作業対象機器。
【請求項１４】
前記機器距離判断手段において、前記表示端末との間の距離が所定未満であると判断されている場合に、前記作業対象機器に対して前記表示許可信号の送信を促すために前記表示端末に表示させる表示データである許可要求データの表示を指示する信号である表示指示信号を、前記機器送信手段より送信する制御を行う表示指示送信制御手段を備えたことを特徴とする請求項１０乃至１２のいずれかに記載の作業対象機器。
【請求項１５】
ＲＦＩＤリーダを備えており、
前記機器距離判断手段は、
前記表示端末に設けられているＲＦＩＤタグより送信される電波信号を前記ＲＦＩＤリーダにて受信可能である場合に、当該表示端末との間の距離が所定未満であると判断し、
前記ＲＦＩＤタグより送信される電波信号が前記ＲＦＩＤリーダにて受信不可能である場合に、前記表示端末との間の距離が所定以上であると判断することを特徴とする請求項１０乃至１４のいずれかに記載の作業対象機器。
【請求項１６】
ＲＦＩＤタグを備えており、
前記機器距離判断手段は、
前記表示端末に設けられているＲＦＩＤリーダより送信される電波信号を前記ＲＦＩＤタグにて受信可能である場合に、当該表示端末との間の距離が所定未満であると判断し、
前記ＲＦＩＤリーダより送信される電波信号が前記ＲＦＩＤタグにて受信不可能である場合に、前記表示端末との間の距離が所定以上であると判断することを特徴とする請求項１０乃至１４のいずれかに記載の作業対象機器。
【請求項１７】
前記機器入力判断手段において、所定の入力がなされたと判断した場合に、前記作業対象機器を所定の作業が可能なモードである作業可能モードに切り替えるモード切替手段を備えたことを特徴とする請求項１０乃至１６のいずれかに記載の作業対象機器。
【請求項１８】
作業対象機器と、当該作業対象機器のマニュアルの表示データを表示させる表示端末とから構成されるマニュアル閲覧システムであって、
表示端末は、
前記表示データを表示させる表示手段と、
前記表示データを記憶する端末記憶手段と、
前記作業対象機器より送信された信号を受信する端末受信手段と、
前記作業対象機器との間の距離を判断する端末距離判断手段と、
前記端末距離判断手段において、前記作業対象機器との間の距離が所定未満であると判断されている場合に、前記端末受信手段による信号の受信を許可し、前記作業対象機器より送信される信号を待ち受ける第一許可手段と、
前記第一許可手段にて信号の受信が許可されている状態で、前記端末受信手段により信号を受信した場合に、当該信号が、前記表示手段への表示データの表示を許可するために前記作業対象機器に対して所定の入力がなされた場合において、当該作業対象機器より送信される信号である表示許可信号であるか否かを判断する表示許可判断手段と、
前記表示許可判断手段において、受信した信号が表示許可信号であると判断した場合に、前記表示データの前記表示手段への表示を許可する第二許可手段と、
前記第二許可手段にて前記表示データの表示が許可された状態において、当該表示データを前記表示手段に表示させる制御を行う第一表示制御手段と
を備え、
前記作業対象機器は、
入力を受け付けるための入力手段である機器入力手段と、
前記作業対象機器のマニュアルの表示データを表示可能な表示端末に対して信号を送信する機器送信手段と、
前記表示端末との間の距離を判断する機器距離判断手段と、
前記機器距離判断手段において、前記表示端末との間の距離が所定未満であると判断されている場合に、前記機器入力手段に所定の入力がなされたか否かを判断する機器入力判断手段と、
前記機器入力判断手段において、所定の入力がなされたと判断した場合に、前記表示端末に対して、データの表示を許可する信号である表示許可信号を前記機器送信手段より送信する制御を行う許可送信制御手段と
を備えたことを特徴とするマニュアル閲覧システム。
【発明の詳細な説明】
【技術分野】
【０００１】
本発明は、表示端末、作業対象機器、及びマニュアル閲覧システムに関する。そしてより詳細には、作業対象機器と表示端末との距離が所定未満である場合であって、作業対象機器に所定の入力がなされた場合に、作業対象機器に関するマニュアルの表示データを表示させることが可能な表示端末、作業対象機器、及びマニュアル閲覧システムに関する。
【背景技術】
【０００２】
従来、プリンタ等の事務機器などに不具合が発生して修理や保守を要することとなった場合に、修理や保守を行う作業者は、該当機器のマニュアルを持参してこれを参照し、修理や保守を実行していた。
【０００３】
ここでマニュアルには、修理や保守を行う対象となる機器（作業対象機器）に関する秘密情報が含まれる場合が多い。そこで通常、表示端末等にマニュアルを記憶させる場合には、パスワードを設定し、パスワードを入力した場合にのみ表示可能とする。これにより、秘密情報であるマニュアルの情報漏えいを防止している。また例えば、対象機器との距離が近距離となった場合に秘密性の高いデータの受信が可能となる端末（例えば、特許文献１参照）の技術を応用し、作業対象機器と表示端末との距離が近距離となった場合に、マニュアルの表示データを表示端末において受信し表示可能とすることによって、秘密情報であるマニュアルの情報漏えいを防止することが可能となる。
【特許文献１】特開２００１−３３３４５１号公報
【発明の開示】
【発明が解決しようとする課題】
【０００４】
しかしながら上述の構成では、表示端末が作業対象機器に近づいた状態では、無条件にマニュアルが表示されてしまうため、作業者以外の者であっても容易に閲覧可能となってしまう。また、一旦表示端末が受信したマニュアルの表示データは、以後継続して閲覧可能な状態となってしまう。このため、秘密性の高い情報が容易に外部に漏えいしてしまう可能性があるという問題点があった。
【０００５】
本発明は上述の問題点を解決するためになされたものであり、作業対象機器に関する情報の秘密性を保つことが可能な表示端末、作業対象機器、及びマニュアル閲覧システムを提供することを目的とする。
【課題を解決するための手段】
【０００６】
上述の課題を解決するために、請求項１に係る発明の表示端末は、作業対象機器におけるマニュアルの表示データを表示する表示端末であって、前記表示データを表示させる表示手段と、前記表示データを記憶する端末記憶手段と、前記作業対象機器より送信された信号を受信する端末受信手段と、前記作業対象機器との間の距離を判断する端末距離判断手段と、前記端末距離判断手段において、前記作業対象機器との間の距離が所定未満であると判断されている場合に、前記端末受信手段による信号の受信を許可し、前記作業対象機器より送信される信号を待ち受ける第一許可手段と、前記第一許可手段にて信号の受信が許可されている状態で、前記端末受信手段により信号を受信した場合に、当該信号が、前記表示手段への表示データの表示を許可するために前記作業対象機器に対して所定の入力がなされた場合に当該作業対象機器より送信される信号である表示許可信号であるか否かを判断する表示許可判断手段と、前記表示許可判断手段において、受信した信号が表示許可信号であると判断した場合に、前記表示データの前記表示手段への表示を許可する第二許可手段と、前記第二許可手段にて前記表示データの表示が許可された状態において、当該表示データを前記表示手段に表示させる制御を行う第一表示制御手段とを備えている。
【０００７】
また、請求項２に係る発明の表示端末は、請求項１に記載の発明の構成に加えて、前記第二許可手段にて前記表示手段への前記表示データの表示が許可されている状態で、前記端末距離判断手段において、前記作業対象機器との間の距離が所定以上であると判断された場合に、前記表示手段への前記表示データの表示を禁止する離隔禁止手段を備え、前記第一表示制御手段は、前記離隔禁止手段にて表示が禁止された場合には、前記表示手段に前記表示データを表示させないことを特徴とする。
【０００８】
また、請求項３に係る発明の表示端末は、請求項１又は２に記載の発明の構成に加えて、前記第二許可手段にて前記表示手段への前記表示データの表示が許可されている状態で、前記端末受信手段により信号を受信した場合に、当該信号が、前記作業対象機器に対する所定の作業が終了した場合に当該作業対象機器より送信される信号である終了通知信号であるか否かを判断する終了通知判断手段と、前記終了通知判断手段において、受信した信号が前記終了通知信号であると判断した場合に、前記表示手段への前記表示データの表示を禁止する通知禁止手段とを備え、前記第一表示制御手段は、前記通知禁止手段にて表示が禁止された場合には、前記表示手段に前記表示データを表示させないことを特徴とする。
【０００９】
また、請求項４に係る発明の表示端末は、請求項１乃至３のいずれかに記載の発明の構成に加えて、前記第一許可手段にて信号の受信が許可されている状態、または、前記第二許可手段にて前記表示手段への前記表示データの表示が許可されている状態で、前記端末受信手段により信号を受信した場合に、当該信号が、前記作業対象機器より送信される表示データであるか否かを判断する表示データ判断手段と、前記表示データ判断手段において、受信した信号が前記表示データであると判断した場合に、当該表示データを前記端末記憶手段に記憶する端末記憶制御手段とを備えている。
【００１０】
また、請求項５に係る発明の表示端末は、請求項１乃至４のいずれかに記載の発明の構成に加えて、前記第一許可手段にて前記表示手段への前記表示データの表示が許可されている状態で、前記端末受信手段により信号を受信した場合に、当該信号が、前記作業対象機器より送信される表示データであって、当該作業対象機器に対して前記表示許可信号の送信を促すために前記表示手段に表示させる表示データである許可要求データであるか否かを判断する許可要求データ判断手段と、前記許可要求データ判断手段において、受信した信号が前記許可要求データであると判断した場合に、当該許可要求データを前記表示手段に表示させる制御を行う第二表示制御手段とを備えている。
【００１１】
また、請求項６に係る発明の表示端末は、請求項１乃至４のいずれかに記載の発明の構成に加えて、前記端末記憶手段には、前記作業対象機器に対して前記表示許可信号の送信を促すために前記表示手段に表示させる表示データである許可要求データが記憶されており、前記第一許可手段にて前記表示手段への前記表示データの表示が許可されている状態で、前記端末受信手段により信号を受信した場合に、当該信号が、前記許可要求データの前記表示手段への表示を指示するために前記作業対象機器より送信される信号である表示指示信号であるか否かを判断する表示指示判断手段と、前記表示指示判断手段において、受信した信号が前記表示指示信号であると判断した場合に、前記許可要求データを前記表示手段に表示させる制御を行う第二表示制御手段とを備えている。
【００１２】
また、請求項７に係る発明の表示端末は、請求項１乃至６のいずれかに記載の発明の構成に加えて、ＲＦＩＤリーダを備えており、前記端末距離判断手段は、前記作業対象機器に設けられているＲＦＩＤタグより送信される電波信号を前記ＲＦＩＤリーダにて受信可能である場合に、当該作業対象機器との間の距離が所定未満であると判断し、前記ＲＦＩＤタグより送信される電波信号が前記ＲＦＩＤリーダにて受信不可能である場合に、前記作業対象機器との間の距離が所定以上であると判断することを特徴とする。
【００１３】
また、請求項８に係る発明の表示端末は、請求項１乃至６のいずれかに記載の発明の構成に加えて、ＲＦＩＤタグを備えており、前記端末距離判断手段は、前記作業対象機器に設けられているＲＦＩＤリーダより送信される電波信号を前記ＲＦＩＤタグにて受信可能である場合に、当該作業対象機器との間の距離が所定未満であると判断し、前記ＲＦＩＤリーダより送信される電波信号が前記ＲＦＩＤタグにて受信不可能である場合に、前記作業対象機器との間の距離が所定以上であると判断することを特徴とする。
【００１４】
また、請求項９に係る発明の表示端末は、請求項１乃至８のいずれかに記載の発明の構成に加えて、前記表示データに関する指示を入力する端末入力手段を備え、前記第一表示制御手段は、前記第二許可手段において前記表示データの前記表示手段への表示が許可された状態で、前記端末入力手段より当該表示データの表示の指示が入力された場合に、当該表示データを前記表示手段に表示させる制御を行うことを特徴とする。
【００１５】
また、請求項１０に係る発明の作業対象機器は、作業対象機器であって、入力を受け付けるための入力手段である機器入力手段と、前記作業対象機器のマニュアルの表示データを表示可能な表示端末に対して信号を送信する機器送信手段と、前記表示端末との間の距離を判断する機器距離判断手段と、前記機器距離判断手段において、前記表示端末との間の距離が所定未満であると判断されている場合に、前記機器入力手段に所定の入力がなされたか否かを判断する機器入力判断手段と、前記機器入力判断手段において、所定の入力がなされたと判断した場合に、前記表示端末に対して、データの表示を許可する信号である表示許可信号を前記機器送信手段より送信する制御を行う許可送信制御手段とを備えている。
【００１６】
また、請求項１１に係る発明の作業対象機器は、請求項１０に記載の発明の構成に加えて、前記作業対象機器に対する所定の作業が終了したことを検出する終了検出手段と、前記終了検出手段にて所定の作業が終了したことを検出した場合に、前記表示端末に対して所定の作業が終了したことを通知する為の信号である終了通知信号を前記機器送信手段より送信する終了通知送信制御手段とを備えている。
【００１７】
また、請求項１２に係る発明の作業対象機器は、請求項１０又は１１に記載の発明の構成に加えて、マニュアルの表示データを記憶する機器記憶手段と、前記機器距離判断手段において、前記表示端末との間の距離が所定未満であると判断された場合、又は、前記機器入力判断手段にて所定の入力がなされたと判断された場合に、前記表示データを前記機器送信手段より送信する制御を行う表示データ送信制御手段とを備えている。
【００１８】
また、請求項１３に係る発明の作業対象機器は、請求項１０乃至１２のいずれかに記載の発明の構成に加えて、前記機器距離判断手段において、前記表示端末との間の距離が所定未満であると判断されている場合に、前記作業対象機器に対して前記表示許可信号の送信を促すために前記表示端末に表示させる表示データである許可要求データを、前記機器送信手段より送信する制御を行う許可要求送信制御手段を備えている。
【００１９】
また、請求項１４に係る発明の作業対象機器は、請求項１０乃至１２のいずれかに記載の発明の構成に加えて、前記機器距離判断手段において、前記表示端末との間の距離が所定未満であると判断されている場合に、前記作業対象機器に対して前記表示許可信号の送信を促すために前記表示端末に表示させる表示データである許可要求データの表示を指示する信号である表示指示信号を、前記機器送信手段より送信する制御を行う表示指示送信制御手段を備えている。
【００２０】
また、請求項１５に係る発明の作業対象機器は、請求項１０乃至１４のいずれかに記載の発明の構成に加えて、ＲＦＩＤリーダを備えており、前記機器距離判断手段は、前記表示端末に設けられているＲＦＩＤタグより送信される電波信号を前記ＲＦＩＤリーダにて受信可能である場合に、当該表示端末との間の距離が所定未満であると判断し、前記ＲＦＩＤタグより送信される電波信号が前記ＲＦＩＤリーダにて受信不可能である場合に、前記表示端末との間の距離が所定以上であると判断することを特徴とする。
【００２１】
また、請求項１６に係る発明の作業対象機器は、請求項１０乃至１４のいずれかに記載の発明の構成に加えて、ＲＦＩＤタグを備えており、前記機器距離判断手段は、前記表示端末に設けられているＲＦＩＤリーダより送信される電波信号を前記ＲＦＩＤタグにて受信可能である場合に、当該表示端末との間の距離が所定未満であると判断し、前記ＲＦＩＤリーダより送信される電波信号が前記ＲＦＩＤタグにて受信不可能である場合に、前記表示端末との間の距離が所定以上であると判断することを特徴とする。
【００２２】
また、請求項１７に係る発明の作業対象機器は、請求項１０乃至１６のいずれかに記載の発明の構成に加えて、前記機器入力判断手段において、所定の入力がなされたと判断した場合に、前記作業対象機器を所定の作業が可能なモードである作業可能モードに切り替えるモード切替手段を備えたことを特徴とする。
【００２３】
また、請求項１８に係る発明のマニュアル閲覧システムは、作業対象機器と、当該作業対象機器のマニュアルの表示データを表示させる表示端末とから構成されるマニュアル閲覧システムであって、表示端末は、前記表示データを表示させる表示手段と、前記表示データを記憶する端末記憶手段と、前記作業対象機器より送信された信号を受信する端末受信手段と、前記作業対象機器との間の距離を判断する端末距離判断手段と、前記端末距離判断手段において、前記作業対象機器との間の距離が所定未満であると判断されている場合に、前記端末受信手段による信号の受信を許可し、前記作業対象機器より送信される信号を待ち受ける第一許可手段と、前記第一許可手段にて信号の受信が許可されている状態で、前記端末受信手段により信号を受信した場合に、当該信号が、前記表示手段への表示データの表示を許可するために前記作業対象機器に対して所定の入力がなされた場合において、当該作業対象機器より送信される信号である表示許可信号であるか否かを判断する表示許可判断手段と、前記表示許可判断手段において、受信した信号が表示許可信号であると判断した場合に、前記表示データの前記表示手段への表示を許可する第二許可手段と、前記第二許可手段にて前記表示データの表示が許可された状態において、当該表示データを前記表示手段に表示させる制御を行う第一表示制御手段とを備え、前記作業対象機器は、入力を受け付けるための入力手段である機器入力手段と、前記作業対象機器のマニュアルの表示データを表示可能な表示端末に対して信号を送信する機器送信手段と、前記表示端末との間の距離を判断する機器距離判断手段と、前記機器距離判断手段において、前記表示端末との間の距離が所定未満であると判断されている場合に、前記機器入力手段に所定の入力がなされたか否かを判断する機器入力判断手段と、前記機器入力判断手段において、所定の入力がなされたと判断した場合に、前記表示端末に対して、データの表示を許可する信号である表示許可信号を前記機器送信手段より送信する制御を行う許可送信制御手段とを備えている。
【発明の効果】
【００２４】
請求項１に係る発明の表示端末では、表示端末は、作業対象機器と表示端末との間の距離が所定未満となった場合に、作業対象機器から送信される信号の受信待機状態となる。この状態で作業対象機器より送信された表示許可信号を受信した場合に、表示データの表示手段への表示を許可し、表示データを表示手段に表示させる。このように、表示手段に表示データを表示させるための２段階の条件を設定し、双方がクリアされた場合に、表示データの表示を許可する構成とする。これにより、秘密性の高い表示データ（作業対象機器のマニュアル）が容易に表示端末より表示されないように制御することが可能となる。
【００２５】
作業対象機器に関するマニュアルは、例えば作業者による作業対象機器に対する作業（保守、修理等）時以外は、表示端末に表示させないようにロックする仕組みが必要となる。ここで、作業対象機器と表示端末とが近接している状態であり、且つ、表示端末が作業対象機器より所定の信号（表示許可信号）を受信した場合にのみ、マニュアルの表示データを表示端末に表示させる。これにより、容易にマニュアルの表示データが表示手段より表示されてしまうことを防止することが可能となり、マニュアルの秘密性を保持することが可能となる。
【００２６】
また、請求項２に係る発明の表示端末では、請求項１に記載の発明の効果に加えて、表示データを表示手段に表示させる場合における２段階の条件がクリアされ、表示データの表示が許可された場合であっても、表示端末が作業対象機器から離隔した状態となった場合には、表示データの表示を禁止する。これにより、表示端末が作業対象機器から離れた状態となった場合に、秘密性の高いマニュアルの表示データを表示手段に表示させないようにすることが可能となる。これにより、マニュアルの秘密性を保持することが可能となる。
【００２７】
また、請求項３に係る発明の表示端末では、作業対象機器に対する作業（保守、修理等）の終了後は、表示データを表示手段に表示させる必要がなくなるが、このような場合に表示データの表示を禁止することが可能となる。これにより、請求項１又は２に記載の発明の効果に加えて、マニュアルの秘密性を保つことが可能となる。例えば、作業対象機器に対する作業が終了し、表示端末においてマニュアルの表示データの表示が不要となった場合に、表示を禁止させることが可能となる。これにより、マニュアルの秘密性を保持することが可能となる。
【００２８】
また、請求項４に係る発明の表示端末では、表示データを作業対象機器より受信し、これを表示手段に表示させる。これにより、表示端末はあらかじめ端末記憶手段に表示データを記憶しておく必要がなくなるので、請求項１乃至３のいずれかに記載の発明の効果に加えて、端末記憶手段の記憶容量を小さくすることが可能となり、表示端末の小型化、低価格化が可能となる。また、必要な場合にのみ表示端末にマニュアルの表示データが記憶されるため、マニュアルの秘密性を保持することが可能となる。
【００２９】
また、請求項５に係る発明の表示端末では、許可要求データを受信した場合に、当該許可要求データを表示手段に表示させる。ここで許可要求データとは、作業対象機器に対して表示許可信号を送信させるために必要な入力方法が示されたデータである。これにより、請求項１乃至４のいずれかに記載の発明の効果に加えて、作業対象機器に対して容易に表示許可信号を送信させないように制御することが可能となるので、マニュアルの秘密性を強く保持することが可能となる。
【００３０】
また、請求項６に係る発明の表示端末では、第一許可手段にて表示指示信号を受信した場合に、表示端末は、端末記憶手段に記憶されている許可要求データを表示手段に表示させる。ここで許可要求データとは、作業対象機器に対して表示許可信号を送信させるために必要な入力方法が示されたデータである。これにより、請求項１乃至４のいずれかに記載の発明の効果に加えて、作業対象機器に対して容易に表示許可信号を送信させないように制御することが可能となるので、マニュアルの秘密性をさらに強く保持することが可能となる。
【００３１】
また、請求項７に係る発明の表示端末では、作業対象機器はＲＦＩＤリーダを備えている。そして、ＲＦＩＤリーダより送信される電波信号に対してＲＦＩＤタグより返信される応答信号を受信可能であるか否かにより、作業対象機器との間の距離を判断する。これにより、請求項１乃至６のいずれかに記載の発明の効果に加えて、安価で容易に作業対象機器との間の距離を判断することが可能となるので、表示端末のコストを抑制することが可能となる。
【００３２】
また、請求項８に係る発明の表示端末では、作業対象機器はＲＦＩＤタグを備えている。そして、ＲＦＩＤリーダより送信される無線電波をＲＦＩＤタグにて受信可能であるか否かにより、作業対象機器との間の距離を判断する。これにより、請求項１乃至６のいずれかに記載の発明の効果に加えて、安価で容易に作業対象機器との間の距離を判断することが可能となるので、表示端末のコストを抑制することが可能となる。
【００３３】
また、請求項９に係る発明の表示端末では、請求項１乃至８のいずれかに記載の発明の効果に加えて、表示端末は、閲覧者による表示指示の入力がなされた場合にのみ表示データを表示手段に表示させる。従って、不用意に表示データが表示されてしまい、他者に閲覧されてしまうことを防止することが可能となる。
【００３４】
また、請求項１０に係る発明の作業対象機器では、表示端末との距離が所定未満となった場合に、所定の入力を待ち受ける。そしてこの状態で所定の入力がなされた場合に、表示端末に対してデータ表示を許可する信号（表示許可信号）を送信する。そしてこの信号を受信した表示端末は、作業対象機器のマニュアルの表示データを表示手段に表示させることが可能となる。
【００３５】
作業対象機器に関するマニュアルは、秘密性が高いため、例えば作業者による作業対象機器に対する作業（保守、修理等）時以外は表示端末に表示させないようにロックする仕組みが必要となる。ここで上述のように、表示端末と作業対象機器との距離が所定未満である場合であって、且つ、作業対象機器に所定の入力がなされた場合にのみ、表示端末に対してマニュアルの表示データを表示させる。これにより、容易にマニュアルの表示データが表示端末より表示されてしまうことを防止することが可能となり、マニュアルの秘密性を保つことが可能となる。
【００３６】
また、請求項１１に係る発明の作業対象機器では、作業対象機器に対する作業（保守、修理等）が終了した場合には、表示端末へのマニュアルの表示データの表示は不要となる。このような場合に、作業が終了したことを通知する為の終了通知信号を表示端末に対して送信し、表示端末に対して、表示中のマニュアルの表示データを消去させる。これにより、請求項１０に記載の発明の効果に加えて、マニュアルの表示データの表示を禁止させることが可能となり、マニュアルの秘密性を保持することが可能となる。
【００３７】
また、請求項１２に係る発明の作業対象機器では、表示端末に表示させるマニュアルの表示データは、作業対象機器が記憶している。そして、表示端末に対して当該表示データを表示させたい場合にのみ、表示端末に対して表示データを送信し、表示させる。これにより、請求項１０又は１１に記載の発明の効果に加えて、表示端末は常時表示データを記憶する必要がなくなるので、表示端末にて必要な記憶容量を抑制することが可能となる。また、マニュアルの秘密性を保持することが可能となる。
【００３８】
また、請求項１３に係る発明の作業対象機器では、機器入力手段に対する所定の入力方法に関する表示データ（許可要求データ）を表示端末に送信し、表示させる。そして、許可要求データに基づいて所定の入力がなされた場合に、作業対象機器は、表示許可信号を送信する。これにより、請求項１０乃至１２のいずれかに記載の発明の効果に加えて、作業対象機器より容易に表示許可信号を送信させないようにすることが可能となるので、表示端末より容易にマニュアルの表示データが表示されてしまうことを防止し、マニュアルの秘密性を保持することが可能となる。
【００３９】
また、請求項１４に係る発明の作業対象機器では、機器入力手段に対する所定の入力方法に関する表示データ（許可要求データ）を表示端末に表示させるための指示信号（表示指示信号）を送信し、表示端末に表示させる。そして、表示端末に表示された許可要求データに基づいて所定の入力がなされた場合に、作業対象機器は、表示許可信号を送信する。これにより、請求項１０乃至１２のいずれかに記載の発明の効果に加えて、作業対象機器より容易に表示許可信号を送信させないようにすることが可能となるので、表示端末より容易にマニュアルの表示データが表示されてしまうことを防止し、マニュアルの秘密性をさらに強く保持することが可能となる。
【００４０】
また、請求項１５に係る発明の作業対象機器では、表示端末はＲＦＩＤリーダを備えている。そして、ＲＦＩＤリーダより送信される電波信号に対してＲＦＩＤタグより返信される応答信号を受信可能であるか否かにより、表示端末との間の距離を判断する。これにより、請求項１０乃至１４のいずれかに記載の発明の効果に加えて、安価で容易に表示端末との間の距離を判断することが可能となるので、作業対象機器のコストを抑制することが可能となる。
【００４１】
また、請求項１６に係る発明の作業対象機器では、表示端末はＲＦＩＤタグを備えている。そして、ＲＦＩＤリーダより送信される無線電波をＲＦＩＤタグにて受信可能であるか否かにより、表示端末との間の距離を判断する。これにより、請求項１０乃至１４のいずれかに記載の発明の効果に加えて、安価で容易に表示端末との間の距離を判断することが可能となるので、作業対象機器のコストを抑制することが可能となる。
【００４２】
また、請求項１７に係る発明の作業対象機器では、機器入力判断手段において所定の入力がなされた場合、作業者により作業対象機器に対する作業（保守や修理等）が開始されることが想定される。そこでこのような場合に、作業対象機器を作業可能な状態としておく。これにより、請求項１０乃至１６のいずれかに記載の発明の効果に加えて、表示端末の閲覧者による作業を容易化することが可能となる。
【００４３】
また、請求項１８に係る発明のマニュアル閲覧システムでは、秘密性の高い表示データ（作業対象機器のマニュアル）が容易に表示端末より表示されないように制御することが可能となる。
【発明を実施するための最良の形態】
【００４４】
＜第一の実施の形態＞
【００４５】
以下、本発明の第一の実施の形態における表示端末、作業対象機器、及びマニュアル閲覧システムについて、図面を参照して説明する。なお、これらの図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
【００４６】
はじめに、図１を参照し、マニュアル閲覧システム１００の概要について説明する。図１は、マニュアル閲覧システム１００の概要を示す模式図である。マニュアル閲覧システム１００は、作業対象機器１１と表示端末２１とから構成される。
【００４７】
図１に示すシステム構成のうち、作業対象機器１１は、例えば、オフィス機器（コピー機、プリンタ）のように、定期的な保守や故障時における修理等の作業が必要となる機器を示す。このシステムでは、作業対象機器１１は作業者１により保守や修理等の作業がなされる。また作業対象機器１１には、機器の内部構造や操作手順等を含むマニュアルがあらかじめ準備されている。作業者１は、このマニュアルを参照し作業を実行する。
【００４８】
表示端末２１は、表示部２２に表示データを表示させることが可能な端末である。マニュアル閲覧システム１００では、表示端末２１は表示部２２にマニュアルの表示データを表示させる。そして表示されたマニュアルの表示データは、作業対象機器１１に対する作業（保守や修理等）時において、作業者１により閲覧される。これにより作業者１は、マニュアルを参照しつつ作業対象機器１１に対して作業を行うことが可能となる。
【００４９】
ここでマニュアルには、作業対象機器１１に関する秘密情報が含まれている。そのため、必要な場合を除きマニュアルを表示端末２１の表示部２２に表示させないようにしなければならない。本実施の形態では、作業者１が作業対象機器１１に近づいて直接作業を行う場合（図１中２の状態）に、表示端末２１の表示部２２にマニュアルの表示データを表示させる。そして、作業対象機器１１に対して直接作業を行っていない場合（図１中３の状態）は、表示端末２１の表示部２２にマニュアルを表示させない。これにより、表示端末２１が盗取されて第三者にマニュアルが閲覧されたり、作業者１の作業時以外にマニュアルが表示部２２に表示されたりしてしまうことを防止し、マニュアルの秘密性を保持している。
【００５０】
次に、図２を参照し、表示端末２１の電気的構成について説明する。図２は、表示端末２１の電気的構成を示す模式図である。
【００５１】
図２に示すように、表示端末２１は、全体の制御を司るＣＰＵ２０１を備えている。また表示端末２１は、ＣＰＵ２０１が駆動するためのプログラムが記憶されたＲＯＭ２０２を備えている。また、フラグ等を記憶する領域であるフラグ記憶領域２０３１や、その他ＣＰＵ２０１が駆動する場合に発生する一時的なデータを記憶する領域を有するＲＡＭ２０３を備えている。また、設定パラメータや端末ＩＤ等を記憶するＥＥＰＲＯＭ２０４を備えている。そして、ＣＰＵ２０１とのデータの授受が可能なように、ＣＰＵ２０１とＲＯＭ２０２、ＲＡＭ２０３、ＥＥＰＲＯＭ２０４とは、バスを介して電気的に接続している。
【００５２】
また表示端末２１は、作業対象機器１１と無線通信を行うための無線通信モジュール２０５を備えている。無線通信モジュール２０５は、図示外のアンテナと接続している。そして、アンテナに誘導された電気信号を復調するとともに、アンテナに変調信号を送信して信号電波を送信させることが可能なモジュールである。そして、ＣＰＵ２０１から送信された信号を変調して送信可能なように、また、復調した信号をＣＰＵ２０１に対して転送可能なように、無線通信モジュール２０５はＣＰＵ２０１と電気的に接続している。
【００５３】
無線通信モジュール２０５における無線通信方式としては特に限定されず、従来周知の様々な無線通信方式が使用可能である。
【００５４】
また表示端末２１は、作業対象機器１１との間の距離を判断する為に使用されるＲＦＩＤタグ２０６を備えている。ＣＰＵ２０１は、作業対象機器１１に設けられたＲＦＩＤリーダ１０６（図３参照）より送信された信号電波をＲＦＩＤタグ２０６にて受信可能か否かを判断することにより、表示端末２１と作業対象機器１１との間の距離が所定距離（以下、「閲覧可能距離」という。）未満となっているか否かを判断する（詳細は後述する）。そして、ＲＦＩＤタグ２０６にて受信した信号をＣＰＵ２０１に対して転送可能なように、また、ＣＰＵ２０１よりＲＦＩＤタグ２０６に対して信号が送信された場合に、ＲＦＩＤタグ２０６より信号電波を送信させることが可能なように、ＲＦＩＤタグ２０６はＣＰＵ２０１と電気的に接続している。
【００５５】
なお、表示端末２１と作業対象機器１１との間が閲覧可能距離だけ離れている状態で、ＲＦＩＤリーダ１０６に到来するＲＦＩＤタグ２０６からの信号電波の強度が、ＲＦＩＤリーダ１０６にて受信可能な最小の電波強度となるように、ＲＦＩＤタグ２０６の送信電波強度が調整される。これにより作業対象機器１１のＣＰＵ１０１は、ＲＦＩＤリーダ１０６にてＲＦＩＤタグ２０６からの信号電波が受信可能か否かを判断することにより、表示端末２１との間の距離が閲覧可能距離未満であるか否かを判断することが可能となっている（詳細は後述する）。
【００５６】
また表示端末２１は、作業者１による表示端末２１に対しての指示を受け付ける入力部２０７と、入力部２０７に入力がされた場合に、入力された内容をＣＰＵ２０１が認識可能な電気信号に変換する為の入力インタフェース２０８とを備えている。そして、ＣＰＵ２０１が入力部２０７に対してなされた入力内容を判断可能なように、入力部２０７は入力インタフェース２０８と電気的に接続しており、入力インタフェース２０８はＣＰＵ２０１と電気的に接続している。
【００５７】
また表示端末２１は、メモリカード２１０と、ＣＰＵ２０１よりメモリカード２１０の記憶領域に対してアクセスすることが可能なように設けられたメモリカードインタフェース（Ｉ／Ｆ）２０９とを備えている。そして、ＣＰＵ２０１よりメモリカード２１０の記憶領域に対してアクセスすることが可能なように、メモリカード２１０はメモリカードインタフェース２０９と電気的に接続しており、メモリカードＩ／Ｆ２０９はＣＰＵ２０１と電気的に接続している。
【００５８】
メモリカード２１０には、表示部２２に表示させるマニュアルの表示データを記憶するマニュアル記憶領域２１０１が設けられている。またメモリカードには、表示部２２に表示される許可要求データ（詳細は後述する。）が記憶されている。
【００５９】
また表示端末２１は、マニュアルなどの表示データを表示する為の表示部２２と、表示部２２に対して表示データを表示させるために表示部２２を制御する為の表示制御部２１２とを備えている。そして、ＣＰＵ２０１より送信される表示データを表示部２２に表示させることが可能なように、表示部２２は表示制御部２１２と電気的に接続しており、表示制御部２１２はＣＰＵ２０１と電気的に接続している。
【００６０】
また表示端末２１は、表示端末２１の駆動に必要な電力を供給する為の電池２１３と、電池２１３より供給される電力を、上述の各デバイスを駆動させることが可能な電力に変換する為の電源制御部２１４とを備えている。また表示端末２１は、電池２１３が表示端末２１に接続された状態か否かを検出するための電池接続センサ２１５を備えている。電池接続センサ２１５は、電池２１３からの電力が供給される部分の電圧を検出する。そして、検出結果をＣＰＵ２０１に対して通知することが可能なように、ＣＰＵ２０１と電気的に接続している。ＣＰＵ２０１では、電池接続センサ２１５から通知された電圧が所定値未満となった場合に、電池２１３が取り外されたものと判断している。
【００６１】
なお、ＣＰＵ２０１が駆動する為の電力は電池２１３より供給されている。そのため、電池２１３が取り外された場合、ＣＰＵ２０１に供給される電力も停止されてしまう。しかしながら、電源制御部２１４等に設けられている容量成分により、ＣＰＵ２０１は、供給される電力が停止され駆動停止する前に、電池接続センサ２１５からの通知を検出することが可能となっている。これによりＣＰＵ２０１は、電池２１３が取り外された場合に、駆動停止前に後処理（設定パラメータのバックアップ等）を行うことが可能となっている。
【００６２】
次に、作業対象機器１１の電気的構成について、図３を参照して説明する。図３は、作業対象機器１１の電気的構成を示す模式図である。
【００６３】
図３に示すように、作業対象機器１１は、機器全体の制御を司るＣＰＵ１０１を備えている。なおＣＰＵ１０１は、電源電圧監視機能を備えている。そして、電源電圧の低下を検出した場合に、電源が切断されたと判断し、駆動停止前に後処理（設定パラメータのバックアップ等）を行うことが可能となっている。また作業対象機器１１は、ＣＰＵ１０１が駆動するためのプログラムが記憶されたＲＯＭ１０２を備えている。また、フラグ等を記憶する領域であるフラグ記憶領域１０３１や、ＣＰＵ１０１が駆動する場合に発生する一時的なデータを記憶する領域を有するＲＡＭ１０３を備えている。また、設定パラメータ等を記憶するＥＥＰＲＯＭ１０４を備えている。そして、ＣＰＵ１０１とのデータの授受が可能なように、ＣＰＵ１０１とＲＯＭ１０２、ＲＡＭ１０３、ＥＥＰＲＯＭ１０４とは、バスを介して電気的に接続している。
【００６４】
また作業対象機器１１は、表示端末２１と無線通信を行うための無線通信モジュール１０５を備えている。無線通信モジュール１０５は、図示外のアンテナと接続している。そして、アンテナに誘導された電気信号を復調するとともに、アンテナに変調信号を送信して信号電波を送信させることが可能なモジュールである。そして、ＣＰＵ１０１から送信された信号を変調して送信可能なように、また、復調した信号をＣＰＵ１０１に対して転送可能なように、無線通信モジュール１０５はＣＰＵ１０１と電気的に接続している。
【００６５】
無線通信モジュール１０５における無線通信方式としては特に限定されず、従来周知の様々な無線通信方式が使用可能である。
【００６６】
また作業対象機器１１は、表示端末２１との間の距離を判断する為のＲＦＩＤリーダ１０６を備えている。ＣＰＵ１０１は、表示端末２１に設けられたＲＦＩＤタグ２０６（図２参照）に対して、ＲＦＩＤリーダ１０６を介して信号電波を送信する。そして、これに対してＲＦＩＤタグ２０６より送信される返答信号を受信可能か否かを判断する。これにより、作業対象機器１１と表示端末２１との間の距離が閲覧可能距離未満となっているか否かを判断する（詳細は後述する）。そして、ＲＦＩＤリーダ１０６にて受信した信号をＣＰＵ１０１に対して転送可能なように、また、ＣＰＵ１０１よりＲＦＩＤリーダ１０６に対して信号が送信された場合に、ＲＦＩＤリーダ１０６より信号電波を送信させることが可能なように、ＲＦＩＤリーダ１０６はＣＰＵ１０１と電気的に接続している。
【００６７】
なお、表示端末２１と作業対象機器１１との間が閲覧可能距離だけ離れている状態で、ＲＦＩＤタグ２０６に到来するＲＦＩＤリーダ１０６からの信号電波の強度が、ＲＦＩＤタグ２０６にて受信可能な最小の電波強度となるように、ＲＦＩＤリーダ１０６の送信電波強度が調整される。これにより表示端末２１のＣＰＵ２０１は、ＲＦＩＤリーダ１０６からの信号電波を受信できたか否かを判断することにより、作業対象機器１１との間の距離が閲覧可能距離未満であるか否かを判断することが可能となっている（詳細は後述する）。
【００６８】
また作業対象機器１１は、作業者１による作業対象機器１１に対しての指示を受け付ける入力部１０７と、入力部１０７に入力がされた場合に、入力内容をＣＰＵ１０１が認識可能な電気信号に変換する為の入力インタフェース１０８とを備えている。そして、ＣＰＵ１０１が入力部１０７に対してなされた入力内容を判断可能なように、入力部１０７は入力インタフェース１０８と電気的に接続しており、入力インタフェース１０８はＣＰＵ１０１と電気的に接続している。
【００６９】
また作業対象機器１１は、表示端末２１の表示部２２に表示させるマニュアルの表示データや許可要求データ、所定のパスワード（詳細は後述する。）等を記憶する為のハードディスク１０９を備えている。そして、ＣＰＵ１０１よりハードディスク１０９の記憶領域に対してアクセスすることが可能なように、ハードディスク１０９はＣＰＵ１０１と電気的に接続している。
【００７０】
また作業対象機器１１は、前面のドアの開閉状態を検出する検出センサ１１０を備えている。そして検出センサ１１０からの出力信号をＣＰＵ１０１にて認識することが可能なように、検出センサ１１０とＣＰＵ１０１とは電気的に接続している。なお本実施の形態では、作業対象機器１１に対して作業者１により作業が実行される場合には、作業対象機器１１の前面のドアを開放させることを想定している。従ってＣＰＵ１０１は、前面のドアが開放状態となっている場合には、作業者１により作業対象機器１１に対してなんらかの作業がなされている状態であると判断する。またＣＰＵ１０１は、前面のドアが開放状態から閉鎖状態となった場合に、作業対象機器１１に対する作業者１による作業が終了したと判断する（詳細は後述する）。
【００７１】
次に、メモリカード２１０に設けられているマニュアル記憶領域２１０１に記憶されているデータの概要について、図４を参照して説明する。図４は、マニュアル記憶領域２１０１を示した模式図である。
【００７２】
マニュアル記憶領域２１０１には、表示部２２に表示させるマニュアルの表示データが、機器ＩＤに対応付けて記憶されている。例えば、機器ＩＤが「Ａ」に対応するマニュアルの表示データとして「１１１．ｐｄｆ」が記憶されており、機器ＩＤが「Ｂ」に対応するマニュアルの表示データとして「２２２．ｐｄｆ」が記憶されており、機器ＩＤが「Ｃ」に対応するマニュアルの表示データとして「３３３．ｐｄｆ」が記憶されている。
【００７３】
表示端末２１は、作業者１により所持された状態で作業対象機器１１に近づいた場合、近接した状態の作業対象機器１１の機器ＩＤを取得する。そして、マニュアル記憶領域２１０１が参照され、取得した機器ＩＤに対応するマニュアルの表示データが選択される。これにより、作業者１が作業を実行するために必要なマニュアル（すなわち、作業者１に近接した状態となっている作業対象機器１１に関連するマニュアル）を自動的に選択して表示部２２に表示させることが可能となる。さらに、近接した状態の作業対象機器１１に関連しないマニュアルの表示データは選択されないので、作業者１にとって不必要なマニュアルの表示データを不用意に表示部２２に表示させることを防止することが可能となる。これにより、マニュアルの秘密性を保持することが可能となる。なお、上述の処理の詳細は、図５〜図９に示すフローチャートにて説明する。
【００７４】
次に、表示端末２１のＣＰＵ２０１において実行される処理について、図５〜図９を参照して説明する。図５は、端末距離判断タスクのフローチャートである。また図６は、端末受信タスクのフローチャートである。また図７は、端末入力監視タスクのフローチャートである。また図８は、端末メインタスクのフローチャートである。また図９は、データ表示処理のサブルーティンフローチャートである。
【００７５】
端末距離判断タスク、端末受信タスク、端末入力監視タスク、及び端末メインタスクには、あらかじめそれぞれに実行周期と優先順位とが設定されている。そしてＣＰＵ２０１は、実行周期が到来したタスクの処理を随時実行する。また、いずれかのタスクの処理がＣＰＵ２０１により実行されている状態で、他のタスクの実行周期が到来した場合には、ＣＰＵ２０１は、設定されている優先順位の高いタスクの処理を優先的に選択して実行する。従って例えば、優先順位の低いタスクの処理の実行中に優先順位の高いタスクの実行周期が到来した場合、ＣＰＵ２０１は、優先順位の低いタスクの処理を実行途中で中断させる。そして優先順位の高いタスクの処理を優先して行う。そして、優先順位の高いタスクの処理が終了した後、ＣＰＵ２０１は、優先順位の低いタスクの処理を中断時点から再開する。
【００７６】
なお、端末距離判断タスク、端末受信タスク、端末入力監視タスク、及び端末メインタスクは、表示端末２１に電池２１３が接続され、ＣＰＵ２０１に電力が供給されて駆動が開始された場合に、それぞれ処理が開始される。
【００７７】
ＣＰＵ２０１の処理時において使用されるフラグについて説明する。フラグとしては、第一許可フラグ、第二許可フラグ、第一受信フラグ、及び第二受信フラグが使用される。これらのフラグはＲＡＭ２０３のフラグ記憶領域２０３１に記憶される。
【００７８】
これらのフラグのうち、第一許可フラグは、表示端末２１と作業対象機器１１との間の距離状態を示すために使用される。そして、端末距離判断タスクにおいて、ＣＰＵ２０１が、表示端末２１と作業対象機器１１との間の距離が閲覧可能距離未満となっていると判断した場合に「１」が記憶され、閲覧可能距離以上であると判断した場合に「０」が記憶される。
【００７９】
また、第二許可フラグは、入力部２０７に対して作業者１により入力操作がなされた場合において、表示データの表示部２２への表示を許可するか否かを示すために使用される。そして、端末メインタスクのデータ表示処理において、ＣＰＵ２０１が表示データの表示部２２への表示を許可する場合に「１」が記憶され、表示を禁止する場合に「０」が記憶される。
【００８０】
また、第一受信フラグは、表示端末２１が作業対象機器１１より送信される表示許可信号（詳細は後述する）を受信したか否かを示すために使用される。そして、端末受信タスクにおいて、ＣＰＵ２０１が表示許可信号を受信したと判断した場合に「１」が記憶され、受信していないと判断した場合に「０」が記憶される。
【００８１】
また、第二受信フラグは、表示端末２１が作業対象機器１１より終了通知信号（詳細は後述する）を受信したか否かを示すために使用される。そして、端末受信タスクにおいて、ＣＰＵ２０１が終了通知信号を受信したと判断した場合に「１」が記憶され、受信していないと判断した場合に「０」が記憶される。
【００８２】
以下、上述の各フラグに「１」が記憶された場合には「フラグがＯＮされた」といい、「０」が記憶された場合には「フラグがＯＦＦされた」という。
【００８３】
なお、フラグ記憶領域２０３１に記憶された上述の各フラグは、表示端末２１に電池２１３が接続され、ＣＰＵ２０１に電力が供給されて駆動が開始された場合にＯＦＦとされ初期化される。
【００８４】
端末距離判断タスクの処理について、図５に示すフローチャートを参照して説明する。端末距離判断タスクでは、ＣＰＵ２０１は、表示端末２１と作業対象機器１１との間の距離が閲覧可能距離未満となるかどうかを継続して監視する。図５に示すように、端末距離判断タスクでは、ＣＰＵ２０１は、はじめに電池接続センサ２１５より通知される電池電圧を監視する（Ｓ２１）。ここで、電池接続センサ２１５より通知された電池電圧が所定値未満となっていた場合、ＣＰＵ２０１は、電池２１３が取り外されたと判断する（Ｓ２１：ＹＥＳ）。この場合、処理を継続できないので、継続中の処理を終了させるために、後処理（設定パラメータ等のＥＥＰＲＯＭ２０４へのバックアップ）等を行う。そして端末距離判断タスクの処理を終了する。
【００８５】
電池接続センサ２１５より通知された電池電圧が所定値以上であり、電池２１３が接続されている状態であると判断した場合（Ｓ２１：ＮＯ）、ＣＰＵ２０１は、ＲＦＩＤタグ２０６を介して信号電波を受信する（Ｓ２２）。作業対象機器１１は、ＲＦＩＤリーダ１０６（図３参照）より、機器ＩＤを含む信号電波を継続して周囲に繰返し送信している（Ｓ１２３、図１１参照、後述）。従ってこのような状態で、表示端末２１を所有する作業者１が作業対象機器１１に近づくと、作業対象機器１１のＲＦＩＤリーダ１０６より送信された信号電波が、表示端末２１のＲＦＩＤタグ２０６に到来する。そしてＲＦＩＤタグ２０６て信号電波が受信され復調される。
【００８６】
ＣＰＵ２０１は、ＲＦＩＤタグ２０６を介して信号電波を受信する。そして、受信した信号電波を復調した信号が、作業対象機器１１より送信された機器ＩＤを含む信号であると判断した場合（Ｓ２３：ＹＥＳ）、ＣＰＵ２０１は、作業対象機器１１と表示端末２１との間の距離が閲覧可能距離未満となっていると判断する。そしてＣＰＵ２０１は、受信した復調信号に含まれている機器ＩＤをＲＡＭ２０３に一時的に記憶する。次いでＣＰＵ２０１は、ＲＦＩＤタグ２０６を介して応答信号を送信する（Ｓ２４）。次いでＣＰＵ２０１は、表示端末２１と作業対象機器１１との間の距離が閲覧可能距離未満であることを示すために、フラグ記憶領域２０３１に記憶されている第一許可フラグをＯＮとする（Ｓ２５）。そしてＣＰＵ２０１はＳ２１の処理に戻り、継続して電池２１３の接続状態の確認と、表示端末２１と作業対象機器１１との間の距離の監視を行う。
【００８７】
一方、ＲＦＩＤタグ２０６を介して、ＲＦＩＤタグ２０６より復調信号を受信しなかった場合（Ｓ２３：ＮＯ）、ＣＰＵ２０１は、作業対象機器１１との間の距離が閲覧可能距離以上となっていると判断する。この場合ＣＰＵ２０１は、フラグ記憶領域２０３１に記憶されている第一許可フラグをＯＦＦとする（Ｓ２７）。そしてＣＰＵ２０１はＳ２１の処理に戻り、継続して電池２１３の接続状態の確認と、表示端末２１と作業対象機器１１との間の距離の監視を行う。
【００８８】
以上説明したように、本発明の表示端末２１は、作業対象機器１１との間の距離を判断する為に、ＲＦＩＤタグ２０６を使用している。そして、作業対象機器１１が備えるＲＦＩＤリーダ１０６より送信された信号電波をＲＦＩＤタグ２０６にて受信可能である場合に、作業対象機器１１との間の距離が閲覧可能距離未満であると判断する。これにより表示端末２１は、距離計測用の高価な専用装置を備えることなく、ＲＦＩＤタグ２０６を使用して作業対象機器１１との距離を把握することが可能となる。これにより、表示端末２１のコストを抑制することが可能となる。
【００８９】
端末受信タスクの処理について、図６に示すフローチャートを参照して説明する。端末受信タスクでは、ＣＰＵ２０１は、無線通信モジュール２０５を介して受信した信号電波を判断する。表示端末２１では、作業対象機器１１の無線通信モジュール１０５より送信される信号電波を無線通信モジュール２０５を介して復調し、受信する。ＣＰＵ２０１は、受信信号を判断し、対応するフラグの制御を行う。
【００９０】
図６に示すように、端末受信タスクでは、ＣＰＵ２０１は、電池接続センサ２１５より通知される電池電圧を監視する（Ｓ４１）。ここで、電池接続センサ２１５より通知された電池電圧が所定値未満となっている場合には、ＣＰＵ２０１は、電池２１３が取り外されたと判断する（Ｓ４１：ＹＥＳ）。この場合、処理を継続できないので、継続中の処理を終了させるために、後処理（設定パラメータ等のＥＥＰＲＯＭ２０４へのバックアップ）等を行う。そして端末受信タスクの処理を終了する。
【００９１】
電池接続センサ２１５より通知された電池電圧が所定値以上であり、電池２１３が接続されている状態であると判断した場合（Ｓ４１：ＮＯ）、ＣＰＵ２０１は、無線通信モジュール２０５を介して信号電波を受信する（Ｓ４２）。次いでＣＰＵ２０１は、受信した信号電波を復調した復調信号に応じてフラグ制御を行う。受信した信号が、表示部２２に対してマニュアルの表示データの表示を許可する為に作業対象機器１１より送信される信号（Ｓ１０９、図１３参照、後述）である表示許可信号であると判断した場合（Ｓ４３：ＹＥＳ）、ＣＰＵ２０１は、フラグ記憶領域２０３１に記憶されている第一受信フラグをＯＮとする（Ｓ４５）。そしてＣＰＵ２０１はＳ４９の処理に移行する。
【００９２】
一方、ＣＰＵ２０１は、無線通信モジュール２０５を介して表示許可信号を受信しなかった場合には（Ｓ４３：ＮＯ）、フラグ記憶領域２０３１に記憶されている第一受信フラグをＯＦＦとする（Ｓ４７）。そしてＣＰＵ２０１はＳ４９の処理に移行する。
【００９３】
Ｓ４９の処理においては、ＣＰＵ２０１は、受信した信号が、表示部２２に対して表示中のマニュアルの表示データの表示を終了させる場合において作業対象機器１１より送信される信号（Ｓ１１７、図１３参照、後述）である終了通知信号であると判断した場合（Ｓ４９：ＹＥＳ）、ＣＰＵ２０１は、フラグ記憶領域２０３１に記憶されている第二受信フラグをＯＮとする（Ｓ５１）そしてＣＰＵ２０１はＳ４１の処理に戻り、継続して電池２１３の接続状態の確認と、作業対象機器１１より送信された信号電波の受信監視を行う。
【００９４】
一方、ＣＰＵ２０１は、無線通信モジュール２０５より終了通知信号を受信しなかった場合には（Ｓ４９：ＮＯ）、フラグ記憶領域２０３１に記憶されている第二受信フラグをＯＦＦとする（Ｓ５３）。そしてＣＰＵ２０１はＳ４１の処理に戻り、継続して電池２１３の接続状態の確認と、作業対象機器１１より送信された信号電波の受信監視を行う。
【００９５】
端末入力監視タスクの処理について、図７のフローチャートを参照して説明する。端末入力監視タスクでは、ＣＰＵ２０１は、電池接続センサ２１５より通知される電池電圧を監視する（Ｓ３０）。ここで、電池接続センサ２１５より通知された電池電圧が所定値未満となっていた場合には、ＣＰＵ２０１は、電池２１３が取り外されたと判断する（Ｓ３０：ＹＥＳ）。この場合、処理を継続できないので、継続中の処理を終了させるために、後処理（設定パラメータ等のＥＥＰＲＯＭ２０４へのバックアップ）等を行う。そして端末入力監視タスクの処理を終了する。
【００９６】
電池接続センサ２１５より通知された電池電圧が所定値以上であり、電池２１３が接続されている状態であると判断した場合（Ｓ３０：ＮＯ）、ＣＰＵ２０１は、入力部２０７を介して入力された信号を監視する（Ｓ３１）。そして、作業者１より入力部２０７を介してマニュアルの表示データの表示を指示する入力がなされたことを検出した場合（Ｓ３１：ＹＥＳ）、ＣＰＵ２０１は、マニュアルの表示データの表示部２２への表示が許可された状態であるかどうかを判断する。ここで表示が許可される場合、データ表示処理において第二許可フラグがＯＮされる（Ｓ７１、図９参照、後述）。そこでＣＰＵ２０１は、第二許可フラグがＯＮされている場合（Ｓ３３：ＹＥＳ）、マニュアルの表示データの表示部２２への表示が許可されていると判断する。そしてＣＰＵ２０１は、端末距離判断タスクのＳ２３（図５参照）において受信し、ＲＡＭ２０３に一時的に記憶した機器ＩＤに対応するマニュアルの表示データをメモリカード２１０のマニュアル記憶領域２１０１（図４参照）より探索する。そして表示制御部２１２を制御し、探索したマニュアルの表示データを表示部２２に表示させる（Ｓ３５）。そしてＣＰＵ２０１はＳ３０の処理に戻り、継続して電池２１３の接続状態の確認と、入力部２０７を介した入力操作の監視を行う。
【００９７】
一方ＣＰＵ２０１は、作業者１により入力部２０７を介してなんら入力操作がなされなかったと判断した場合には（Ｓ３１：ＮＯ）、Ｓ３０の処理に戻り、継続して電池２１３の接続状態の確認と、入力部２０７を介した入力操作の監視を行う。またＣＰＵ２０１は、作業者１により入力部２０７を介して入力操作がなされた場合であっても（Ｓ３１：ＹＥＳ）、マニュアルの表示データの表示部２２への表示が禁止されており、第二許可フラグがＯＦＦとされている場合には（Ｓ３３：ＮＯ）、表示部２２への表示処理を行うことなくＳ３０の処理に戻る。そして、継続して電池２１３の接続状態の確認と、入力部２０７を介した入力操作の監視を行う。
【００９８】
端末メインタスクの処理について、図８及び図９に示すフローチャートを参照して説明する。図８に示すように、端末メインタスクでは、ＣＰＵ２０１は、電池接続センサ２１５より通知される電池電圧を監視する（Ｓ１１）。ここで、電池接続センサ２１５より通知された電池電圧が所定値未満となっている場合には、ＣＰＵ２０１は、電池２１３が取り外されたと判断する（Ｓ１１：ＹＥＳ）。この場合、処理を継続できないので、継続中の処理を終了させるために、後処理（設定パラメータ等のＥＥＰＲＯＭ２０４へのバックアップ）等を行う。そして端末メインタスクの処理を終了する。
【００９９】
電池接続センサ２１５より通知された電池電圧が所定値以上であり、電池２１３が接続されている状態であると判断した場合（Ｓ１１：ＮＯ）、ＣＰＵ２０１は、表示端末２１と作業対象機器１１との距離が閲覧可能距離未満となっているかどうかを判断する。表示端末２１と作業対象機器１１との距離が閲覧可能距離未満となっている場合、端末距離判断タスク（図５参照）において第一許可フラグがＯＮとされる（Ｓ２５、図５参照）。そこでＣＰＵ２０１は、第一許可フラグを確認する（Ｓ１３）。そして、第一許可フラグがＯＮとされている場合には（Ｓ１３：ＹＥＳ）、マニュアルの表示データを表示部２２に表示させる処理を行うために、データ表示処理（Ｓ１５、図９参照、後述）を実行する。一方ＣＰＵ２０１は、第一許可フラグがＯＦＦとされている場合には（Ｓ１３：ＮＯ）、表示部２２にマニュアルの表示データを表示させる必要はないので、Ｓ１１に戻って上述の処理を繰り返す。
【０１００】
図９を参照し、データ表示処理について説明する。図９に示すように、データ表示処理では、ＣＰＵ２０１は、端末距離判断タスクのＳ２２（図５参照）において受信し、ＲＡＭ２０３に一時的に記憶した機器ＩＤを読み出す（Ｓ６１）。次いでＣＰＵ２０１は、表示制御部２１２を制御し、メモリカード２１０に記憶されている許可要求データを表示部２２に表示させる（Ｓ６３）。許可要求データとは、作業対象機器１１に対して表示許可信号を送信させるために、作業者１が作業対象機器１１に対して行うべき入力操作が示された表示データである。
【０１０１】
図１０を参照して、表示部２２に表示された状態の許可要求データの一例について説明する。図１０は、表示部２２に表示された状態の許可要求データの一例を示している。図１０に示す例では、「中央の引き出しをあけた後、テンキーでパスワードを入力してください。」との指示と、前面のドアが開いた状態の作業対象機器１１が図示されている。このように表示部２２に対して許可要求データを表示させることにより、作業者１に対して、作業対象機器１１への所定の入力操作を促す。なお作業対象機器１１では、作業者１により表示部２２に表示されている許可要求データに基づいた所定の入力操作（前面のドアの開放、入力部１０７へのパスワード入力）がなされた場合、表示端末２１に対し、マニュアルの表示データの表示を許可する為の信号である表示許可信号を送信する（Ｓ１０９、図１３参照、後述）。
【０１０２】
次いでＣＰＵ２０１は、表示端末２１と作業対象機器１１との間の距離が閲覧可能距離未満であり、作業対象機器１１より終了通知信号を受信しておらず、作業対象機器１１より表示許可信号を受信した場合に、マニュアルの表示データを表示部２２より表示可能とする。ここで、表示端末２１と作業対象機器１１との間の距離が閲覧可能距離未満となっている場合には、第一許可フラグがＯＮとされている（Ｓ２５、図５参照）。また、作業対象機器１１より終了通知信号を受信していない場合には、第二受信フラグがＯＦＦとされている（Ｓ５３、図６参照）。また、作業対象機器１１より表示許可信号を受信している場合には、第一受信フラグがＯＮとされている（Ｓ４５、図６参照）。従ってＣＰＵ２０１は、図９に示すように、はじめに第一許可フラグを確認する（Ｓ６５）。そして、ＯＮとされている場合には（Ｓ６５：ＹＥＳ）、次いでＣＰＵ２０１は第二受信フラグを確認する（Ｓ６７）。そして、ＯＦＦとされている場合に（Ｓ６７：ＮＯ）、次いでＣＰＵ２０１は第一受信フラグを確認する（Ｓ６９）。そして、ＯＮとされている場合には（Ｓ６９：ＹＥＳ）、ＣＰＵ２０１は上述の条件をすべて満たしていると判断する。そしてＣＰＵ２０１は、表示部２２よりマニュアルの表示データを表示可能な状態とするために、第二許可フラグをＯＮとする（Ｓ７１）。そしてＳ６５の処理に戻り、継続して上述の判断処理を繰り返し実行する。
【０１０３】
なお、第二許可フラグがＯＮとされた状態で、作業者１により入力部２０７を介して入力操作がなされた場合、図７を参照して既述したように、ＣＰＵ２０１は、表示端末２１から閲覧可能距離未満に存在する作業対象機器１１に関連するマニュアルのデータを表示部２２に表示させる。
【０１０４】
一方、図９に示すように、表示端末２１は、許可要求データを表示部２２に表示させた後、表示端末２１と作業対象機器１１との間の距離が閲覧可能距離以上となってしまったり、作業対象機器１１より終了通知信号を受信したりした場合には、表示部２２に表示中の表示データを消去する必要がある。ここで、表示端末２１と作業対象機器１１との間の距離が閲覧可能距離以上となっている場合、第一許可フラグはＯＦＦとされる（Ｓ２７、図５参照）。また、作業対象機器１１より終了通知信号を受信した場合には、第二受信フラグがＯＮとされる（Ｓ５１、図６参照）。従ってＣＰＵ２０１は、第一許可フラグがＯＦＦとされているか（Ｓ６５：ＮＯ）、第二受信フラグがＯＮとされている場合（Ｓ６７：ＹＥＳ）には、表示部２２に表示中の表示データを消去する処理を行う。
【０１０５】
表示部２２に許可要求データが表示されている状態であれば（Ｓ７３：ＹＥＳ）、ＣＰＵ２０１は、表示制御部２１２を制御して表示中の許可要求データを消去させる（Ｓ７５）。そしてＣＰＵ２０１はデータ表示処理を終了し、端末メインタスクに戻る。また、表示部に許可要求データが表示されていない場合であっても（Ｓ７３：ＮＯ）、マニュアルの表示データが表示されている状態であれば（Ｓ７７：ＹＥＳ）、ＣＰＵ２０１は、表示制御部２１２を制御して表示中のマニュアルの表示データを消去させる（Ｓ７９）。そしてデータ表示処理を終了し、端末メインタスクに戻る。また、マニュアルの表示データが表示されていない状態であれば（Ｓ７７：ＮＯ）、ＣＰＵ２０１はそのままデータ表示処理を終了し、端末メインタスクに戻る。
【０１０６】
一方、表示端末２１と作業対象機器１１との間の距離が閲覧可能距離未満であり（Ｓ６５：ＹＥＳ）、終了通知信号を受信していない場合（Ｓ６７：ＮＯ）であっても、作業対象機器１１より表示許可信号を受信していない場合には（Ｓ６９：ＮＯ）、ＣＰＵ２０１は、Ｓ６５に戻って上述の判断処理を繰り返し実行する。
【０１０７】
以上説明したように、表示端末２１では、作業対象機器１１との間の距離が閲覧可能距離未満となっている状態であって、作業対象機器１１より表示許可信号を受信している場合に、マニュアルの表示データの表示部２２への表示が可能な状態とする。なお、表示許可信号は、表示部２２に表示される許可要求データに基づき作業対象機器１１に対して所定の入力操作がなされた場合に、作業対象機器１１より送信される。このように、２つの条件をクリアしなければ表示データを表示部２２に表示させないような構成とすることにより、秘密性の高いマニュアルの表示データを容易に表示部２２より表示させてしまうことを防止可能となる。従って、マニュアルの秘密性を強く保持することが可能となる。
【０１０８】
ここで、作業対象機器１１に対して表示許可信号を送信させるために必要となる、作業対象機器１１への所定入力操作方法を、表示部２２に表示させることとする。これにより容易に表示データが表示部２２に表示させてしまうことを防止可能となるので、マニュアルの秘密性を保持することが可能となる。
【０１０９】
また、一旦表示部２２にマニュアルの表示データが表示される状態となった後も、継続して作業対象機器１１との間の距離を監視し、双方間の距離が閲覧可能距離以上となった場合には、表示部２２からのマニュアルの表示データの表示を禁止する。これにより、表示端末２１が作業対象機器１１から離れている状態では表示部２２に表示データを表示させないようにすることが可能となるので、マニュアルの秘密性をさらに強く保持することが可能となる。
【０１１０】
また、作業対象機器１１の作業が終了したことを示す作業終了通知を受信した場合には、表示中の表示データを消去させる。これにより、作業者１による作業対象機器１１に対する作業が終了した以降は、表示部２２にマニュアルの表示データを表示させないようにすることが可能となるので、マニュアルの秘密性をさらに強く保持することが可能となる。
【０１１１】
次に、作業対象機器１１のＣＰＵ１０１において実行される処理について、図１１〜図１３を参照して説明する。図１１は、機器距離判断タスクのフローチャートである。また図１２は、機器終了監視タスクのチャートである。また図１３は、機器メインタスクのフローチャートである。
【０１１２】
機器メインタスク、機器距離判断タスク、及び機器終了監視タスクには、予めそれぞれに実行周期と優先順位とが設定されている。そしてＣＰＵ１０１は、実行周期が到来したタスクの処理を随時実行する。また、いずれかのタスクの処理がＣＰＵ１０１により実行されている状態で、他のタスクの実行周期が到来した場合には、ＣＰＵ１０１は、設定されている優先順位の高いタスクの処理を選択して実行する。従って、優先順位の低いタスクの処理の実行中に優先順位の高いタスクの実行周期が到来した場合、ＣＰＵ１０１は、優先順位の低いタスクの処理を実行途中で中断させる。そして優先順位の高いタスクの処理を優先して行う。そして、優先順位の高いタスクの処理が終了した後、ＣＰＵ１０１は、優先順位の低いタスクの処理を中断時点から再開する。なお、機器メインタスク、機器距離判断タスク、及び機器終了監視タスクは、作業対象機器１１に電源が投入され、ＣＰＵ１０１が駆動を介した場合に、それぞれ処理が開始される。
【０１１３】
ＣＰＵ１０１の処理時において使用されるフラグについて説明する。フラグとしては、解除フラグ、作業終了フラグ、及び作業モードフラグが使用される。これらのフラグはＲＡＭ１０３のフラグ記憶領域１０３１に記憶される。
【０１１４】
これらのフラグのうち、解除フラグは、作業対象機器１１と表示端末２１との間の距離状態を示すために使用される。そして、機器距離判断タスクにおいて、ＣＰＵ１０１が、作業対象機器１１と表示端末２１との間の距離が閲覧可能距離未満となっていると判断した場合に「１」が記憶され、閲覧可能距離以上であると判断した場合に「０」が記憶される。
【０１１５】
また、作業終了フラグは、作業者１による作業対象機器１１への作業が終了したか否かを示すために使用される。そして、機器終了監視タスクにおいて、ＣＰＵ１０１が、作業者１による作業対象機器１１への作業が終了したと判断した場合に「１」が記憶され、未だ作業が終了していない状態であると判断した場合に「０」が記憶される。
【０１１６】
また、作業モードフラグは、作業者１による作業対象機器１１への作業が可能な状態であるか否かを示すために使用される。そして、機器メインタスクにおいて、ＣＰＵ１０１が、作業対象機器１１への作業が可能な状態となっている場合に「１」が記憶され、作業不可能な状態となっていると判断した場合に「０」が記憶される。ここで作業者１による作業対象機器１１への作業が可能な状態（作業モード）とは、例えば、通常ユーザが使用できない取り扱い説明書外のモードであり、どの家電にも通常搭載されているモードを示す。作業モードは、例えば、作業対象機器１１を修理する者が、中身がどのように壊れているのかを確認するために、特殊操作を経ることにより移行可能なモードである。作業モード中は、例えば「現在のＣＰＵ温度」「タッチパネルＯＮ座標表示」「電圧検知」など、通常作業対象機器１１を使用する際には利用しないような項目が確認できるようになる。
【０１１７】
以下、上述の各フラグに「１」が記憶された場合には「フラグがＯＮされた」といい、「０」が記憶された場合には「フラグがＯＦＦされた」という。
【０１１８】
なお、フラグ記憶領域１０３１に記憶された上述の各フラグは、作業対象機器１１に電源が投入され、ＣＰＵ１０１に電力が供給されて駆動が開始された場合にＯＦＦとされ初期化される。
【０１１９】
機器距離判断タスクの処理について、図１１に示すフローチャートを参照して説明する。機器距離判断タスクでは、ＣＰＵ１０１は、作業対象機器１１と表示端末２１との間の距離が閲覧可能距離未満となるかどうかを継続して監視する。図１１に示すように、機器距離判断タスクでは、ＣＰＵ１０１は、内蔵された電源電圧監視機能を使用し、電池電圧を監視する（Ｓ１２１）。ここで、電源電圧の低下を検出した場合、ＣＰＵ１０１は電源が切断されたと判断する（Ｓ１２１：ＹＥＳ）。この場合、処理を継続できないので、継続中の処理を終了させるために、後処理（設定パラメータ等のＥＥＰＲＯＭ１０４へのバックアップ）等を行う。そして機器距離判断タスクの処理を終了する。
【０１２０】
電源電圧監視機能にて検出された電圧が所定値以上であり、電源が切断されていないと判断した場合（Ｓ１２１：ＮＯ）、ＣＰＵ１０１は、ＲＦＩＤリーダ１０６より機器ＩＤの情報を含む信号電波を送信させるために、ＲＯＭ１０２に記憶されている機器ＩＤを読み出す。そして、読みだした機器ＩＤの情報を含む信号電波をＲＦＩＤリーダ１０６を介して送信する（Ｓ１２３）。
【０１２１】
次いでＣＰＵ１０１は、ＲＦＩＤリーダ１０６を介して信号電波を受信する（Ｓ１２４）。ここで、表示端末２１を所有する作業者１が作業対象機器１１に近づくと、Ｓ１２３にて送信された機器ＩＤを含む信号電波がＲＦＩＤタグ２０６に到来し、ＲＦＩＤタグ２０６が信号電波を受信する。次いで、このＲＦＩＤタグ２０６から応答信号が返信される（図５、Ｓ２４参照、後述）。そしてこの信号電波がＲＦＩＤリーダ１０６に到来し、ＲＦＩＤリーダ１０６により受信され復調される。
【０１２２】
ＣＰＵ１０１は、機器ＩＤを含む信号電波を送信した（Ｓ１２３）後、ＲＦＩＤリーダ１０６を介して信号電波を受信する（Ｓ１２４）。そして受信した信号電波を復調した結果の信号が、応答信号であると判断した場合（Ｓ１２５：ＹＥＳ）、ＣＰＵ１０１は、作業対象機器１１と表示端末２１との間の距離が閲覧可能距離未満となっていると判断する（Ｓ１２５：ＹＥＳ）。この場合にＣＰＵ１０１は、作業対象機器１１から閲覧可能距離未満に表示端末２１が存在していることを示すため、フラグ記憶領域１０３１に記憶されている解除フラグをＯＮとする（Ｓ１２７）。そしてＣＰＵ１０１はＳ１２１の処理に戻り、継続して電源の接続状態の確認と、作業対象機器１１と表示端末２１との間の距離の監視を行う。
【０１２３】
一方ＣＰＵ１０１は、ＲＦＩＤリーダ１０６より応答信号を受信しなかった場合（Ｓ１２５：ＮＯ）、閲覧可能距離未満に表示端末２１が存在していないと判断する。この場合ＣＰＵ１０１は、フラグ記憶領域１０３１に記憶されている解除フラグをＯＦＦとする（Ｓ１２９）。そしてＣＰＵ１０１はＳ１２１の処理に戻り、継続して電源の接続状態の確認と、作業対象機器１１と表示端末２１との間の距離の監視を行う。
【０１２４】
以上説明したように、本発明の作業対象機器１１は、表示端末２１との間の距離を判断する為に、ＲＦＩＤリーダ１０６を使用している。そして、表示端末２１が備えるＲＦＩＤタグ２０６より送信された応答信号をＲＦＩＤリーダ１０６にて受信可能である場合に、表示端末２１との間の距離が閲覧可能距離未満であると判断する。これにより作業対象機器１１は、距離計測用の効果な専用装置を備えることなく、ＲＦＩＤリーダ１０６を使用して表示端末２１との距離を把握することが可能となる。これにより、作業対象機器１１のコストを抑制することが可能となる。
【０１２５】
機器終了監視タスクの処理について、図１２に示すフローチャートを参照して説明する。機器終了監視タスクでは、ＣＰＵ１０１は、ＣＰＵ１０１に内蔵された電源電圧監視機能を使用し、電池電圧を監視する（Ｓ１３１）。ここで、電源電圧の低下を検出した場合、ＣＰＵ１０１は電源が切断されたと判断する（Ｓ１３１：ＹＥＳ）。この場合、処理を継続できないので、継続中の処理を終了させるために、後処理（設定パラメータ等のＥＥＰＲＯＭ１０４へのバックアップ）等を行う。そして機器終了監視タスクの処理を終了する。
【０１２６】
電源電圧監視機能にて検出された電圧が所定値以上であり、電源が切断されていないと判断した場合（Ｓ１３１：ＮＯ）、ＣＰＵ１０１は、作業者１による作業対象機器１１への作業が実行中であるかどうかを判断する。ここで、作業対象機器１１への作業が実行中である場合、ＲＡＭ１０３に記憶されている作業モードフラグには「１」が記憶されＯＮとされている（Ｓ１１１、図１３参照、後述）。そこでＣＰＵ１０１は、作業モードフラグを確認する（Ｓ１３３）。そして、作業モードフラグがＯＦＦとなっている場合には（Ｓ１３３：ＮＯ）、ＣＰＵ１０１は、作業者１による作業が実行中でないと判断する。この場合、作業終了の監視を行う必要はないので、ＣＰＵ１０１は特段処理を行うことなくＳ１３１に戻る。そして、継続して上述の処理を繰り返し実行する。
【０１２７】
一方、作業モードフラグがＯＮとなっている場合には（Ｓ１３３：ＹＥＳ）、ＣＰＵ１０１は作業者１による作業対象機器１１への作業が継続中であると判断する。この場合ＣＰＵ１０１は、作業対象機器１１の動作モードを作業モードに切り替え（Ｓ１３５）、作業対象機器１１を作業可能な状態とする。次いで、作業終了の確認を行うために、ＣＰＵ１０１はＳ１３７の処理に移行する。
【０１２８】
次いでＣＰＵ１０１は、作業者１による作業対象機器１１への作業の終了のタイミングを監視する（Ｓ１３７）。ここで本実施の形態では、作業対象機器１１に対する作業は、作業対象機器１１の前面のドアを開放した状態で行われることを想定している。従ってＣＰＵ１０１は、検出センサ１１０からの信号を受信し、前面のドアが開放状態から閉鎖状態に切り替わったと判断した場合に、作業者１による作業が終了したと判断する（Ｓ１３７：ＹＥＳ）この場合ＣＰＵ１０１は、作業者１による作業対象機器１１への作業が終了したことを示すために、フラグ記憶領域１０３１に記憶されている作業終了フラグをＯＮとする（Ｓ１３９）。そしてＣＰＵ１０１は、Ｓ１３１の処理に戻り、継続して電源の接続状態の確認と、作業者１による作業終了のタイミングの監視を行う。
【０１２９】
一方、検出センサ１１０からの信号を受信し、前面のドアの開放状態から閉鎖状態への変位を検出しなかった場合、ＣＰＵ１０１は、作業者１による作業対象機器１１への作業が継続してなされており、いまだ終了していないと判断する（Ｓ１３７：ＮＯ）。このような場合にＣＰＵ１０１は、作業者１による作業対象機器１１への作業が終了しておらず継続中であることを示すために、フラグ記憶領域１０３１に記憶されている作業終了フラグをＯＦＦとする（Ｓ１４１）。そしてＣＰＵ１０１は、Ｓ１３１戻り、継続して電源の接続状態の確認と、作業者１による作業終了のタイミングの監視を行う。
【０１３０】
機器メインタスクの処理について、図１３に示すフローチャートを参照して説明する。機器メインタスクにおいては、ＣＰＵ１０１は、はじめに作業対象機器１１と表示端末２１との間の距離が閲覧可能距離未満となっているか否かを判断する（Ｓ１０１）。ここで、作業対象機器１１と表示端末２１との間の距離が閲覧可能距離未満となっている場合には、フラグ記憶領域１０３１に記憶されている解除フラグがＯＮとされている（Ｓ１２７、図１１参照）。そこでＣＰＵ１０１は、解除フラグを確認し、距離を判断する。解除フラグがＯＦＦとされており、表示端末２１との間の距離が閲覧可能距離以上であると判断した場合（Ｓ１０１：ＮＯ）、この状態では表示端末２１に対してマニュアルの表示データを表示させないので、ＣＰＵ１０１はＳ１０１に戻って繰返し解除フラグにより表示端末２１との距離を監視する。
【０１３１】
一方、解除フラグがＯＮとされており、表示端末との間の距離が閲覧可能距離未満となっていると判断した場合（Ｓ１０１：ＹＥＳ）、ＣＰＵ１０１は、次に、表示端末２１の表示部２２に表示される許可要求データ（（図９、Ｓ６３参照）に基づいて、作業対象機器１１に対して作業者１により入力操作がなされたかどうかを判断する。ここで、図１０にて説明したように、本実施の形態では、許可要求データとして「中央の引き出しをあけた後、テンキーでパスワードを入力してください。」の文字が表示部２２に表示される（図１０参照）。従ってＣＰＵ１０１は、前面のドアが開放された状態で、入力部１０７を介してパスワードの入力操作がなされたかどうかを判断する（Ｓ１０３）。ＣＰＵ１０１は、検出センサ１１０により前面のドアが閉鎖状態であることを確認するか、又は、入力部１０７を介して何ら入力がされなかったと判断した場合（Ｓ１０３：ＮＯ）、この状態では表示端末２１に対してマニュアルの表示データを表示させない。従ってＣＰＵ１０１は、Ｓ１０１に戻って繰返し解除フラグによる表示端末２１との距離の監視と、所定の入力操作の監視を行う。
【０１３２】
一方ＣＰＵ１０１は、前面のドアが開放されている状態で、且つ、入力部１０７を介してパスワードの入力操作がなされと判断した場合（Ｓ１０３：ＹＥＳ）、予めハードディスク１０９に記憶されている所定のパスワードと、入力されたパスワードとを比較照合する（Ｓ１０５）。ここで双方が一致しない場合には（Ｓ１０７：ＮＯ）、ＣＰＵ１０１は入力されたパスワードが無効であると判断し、以下特段の処理を行うことなく機器メインタスクの処理を終了する。
【０１３３】
ここで、予めハードディスク１０９に記憶されているパスワードと、入力されたパスワードを比較照合し、双方が一致した場合（Ｓ１０７：ＹＥＳ）、ＣＰＵ１０１は、表示端末２１にマニュアルの表示データを表示させるための所定入力操作がなされたものと判断する。そこでＣＰＵ１０１は、無線通信モジュール１０５を介し、表示端末２１に対してマニュアルの表示データの表示を許可させるための信号である表示許可信号を送信する（Ｓ１０９）。
【０１３４】
なお、表示許可信号を受信した表示端末２１では、マニュアルの表示データを表示部２２に表示可能な状態となる（Ｓ７１、図９参照）。
【０１３５】
次いでＣＰＵ１０１は、作業対象機器１１を作業者１による作業が可能な状態とし、作業対象機器１１が作業中の状態であることを示すために、作業モードフラグをＯＮとする（Ｓ１１１）。そしてＣＰＵ１０１は、作業対象機器１１と表示端末２１との間の距離を監視するとともに、作業者１による作業が終了するタイミングを監視する。作業対象機器１１に対して作業者１により作業が行われている最中に、作業対象機器１１と表示端末２１との間の距離が離隔し、閲覧可能距離以上となってしまった場合や、作業者１による作業対象機器１１への作業が終了した場合には、表示端末２１の表示部２２に表示中の表示データを消去しなければならないためである。ここで、作業対象機器１１と表示端末２１との間の距離が閲覧可能距離以上となった場合には、解除フラグがＯＦＦとされる（Ｓ１２９、図１１参照）。また、作業者１による作業が終了した場合には、作業終了フラグがＯＦＦとされる（Ｓ１３９、図１２参照）。そこでＣＰＵ１０１は、解除フラグを確認し、ＯＦＦとなっている場合には（Ｓ１１３：ＹＥＳ）、表示端末２１が作業対象機器１１から離隔してしまったので、継続して表示端末２１の表示部２２に表示データを表示させる必要はない為、ＣＰＵ１０１は機器メインタスクを終了させる。
【０１３６】
ここで、ＣＰＵ１０１にて作業対象機器１１と表示端末２１との距離が閲覧可能距離以上となったと判断した場合、同様に表示端末２１では、ＣＰＵ２０１が作業対象機器１１との間の距離が閲覧可能距離以上となったと判断する（図５、Ｓ２７参照）。この場合ＣＰＵ２０１は、表示部２２に表示中の表示データを消去させる（Ｓ７５、Ｓ７９、図９参照）。
【０１３７】
一方、解除フラグはＯＮとなっており、作業対象機器１１と表示端末２１との間の距離が閲覧可能距離位置未満である状態でも（Ｓ１１３：ＮＯ）、前面のドアが開放状態から閉鎖状態に変位したことをＣＰＵ１０１が認識した場合には（Ｓ１１５：ＹＥＳ）、ＣＰＵ１０１は作業者１の作業対象機器１１に対する作業が終了したと判断する。このような場合には、表示端末２１の表示部２２に表示された状態のマニュアルの表示データをこれ以上表示させてはならず、消去しなければならない。そこでＣＰＵ１０１は、表示端末２１に対して作業対象機器１１に対する作業が終了したことを通知する為の信号である終了通知信号を送信し（Ｓ１１７）、表示端末２１の表示部２２に表示されている状態のマニュアルの表示データを消去させる。次いでＣＰＵ１０１は、作業対象機器１１を作業者１による作業が不可能な状態とし、作業対象機器１１が作業中でない状態であることを示すために、作業モードフラグをＯＦＦとする（Ｓ１１８）。そして機器メインタスクを終了する。
【０１３８】
一方、終了通知信号を受信した表示端末２１では、表示部２２に表示中の表示データを消去させる処理が行われる（Ｓ７５、Ｓ７９、図９参照）。
【０１３９】
またＣＰＵ１０１は、作業対象機器１１と表示端末２１との間の距離が閲覧可能距離未満であり（Ｓ１１３：ＮＯ）、且つ作業者１による作業がいまだ終了していない状態では（Ｓ１１５：ＮＯ）、表示端末２１の表示部２２に表示させている表示データを消去させる必要はないので、Ｓ１０１に戻って、繰り返し上述の処理を繰り返す。
【０１４０】
以上説明したように、作業対象機器１１は、表示端末２１との間の距離が閲覧可能距離未満となっている状態で、作業者１より所定の入力操作がなされた場合に、表示端末２１に対して表示許可信号を送信する。表示端末２１では、表示許可信号を受信しなければ表示部２２にマニュアルの表示データを表示させることができないようになっているので、容易にマニュアルの表示データが表示部２２に表示されてしまうことを防止することが可能となり、マニュアルの秘密性を保持することが可能となる。
【０１４１】
また、作業対象機器１１への作業が終了した場合には、表示端末２１に通知し、表示部２２に表示されている状態の表示データを消去させることが可能となる。これにより、作業対象機器１１への作業中以外の場合には表示データを表示部２２に表示させないように制御することが可能となるので、マニュアルの秘密性をさらに強く保持することが可能となる。
【０１４２】
なお、図２に示す表示端末２１が備える表示部２２が、本発明の「表示手段」に相当し、メモリカード２１０が備えるマニュアル記憶領域２１０１が、本発明の「端末記憶手段」に相当し、図６のＳ４２において、無線通信モジュール２０５を介して信号電波を受信する処理を行うＣＰＵ２０１が、本発明の「端末受信手段」に相当し、図５に示す端末距離判断タスクにおいて、ＲＦＩＤタグ２０６にて機器ＩＤを包含する信号電波を受信したか否かにより、作業対象機器１１との間の距離を判断する処理を行うＣＰＵ２０１が、本発明の「端末距離判断手段」に相当し、図５のＳ２５において、第一許可フラグをＯＮとする処理を行うＣＰＵ２０１が、本発明の「第一許可手段」に相当し、図６のＳ４３において、表示許可信号を受信したか否かを判断する処理を行うＣＰＵ２０１が、本発明の「表示許可判断手段」に相当し、図９のＳ７１において、第二許可フラグをＯＮとする処理を行うＣＰＵ２０１が、本発明の「第二許可手段」に相当し、図７のＳ３５において、表示データを表示部２２に表示させる制御を行うＣＰＵ２０１が、本発明の「第一表示制御手段」に相当し、図９のＳ６３にて許可要求データを表示する処理を行うＣＰＵ２０１が、本発明の「第二表示制御手段」に相当する。
【０１４３】
また、図５のＳ２７において第一許可フラグをＯＦＦとする処理を行うＣＰＵ２０１が、本発明の「離隔禁止手段」に相当し、図６のＳ４９において終了通知信号を受信したか否かを判断する処理を行うＣＰＵ２０１が、本発明の「終了通知判断手段」に相当し、図９のＳ７９において、表示部２２に表示中の表示データを消去する処理を行うＣＰＵ２０１が、本発明の「通知禁止手段」に相当し、図２の入力部２０７が、本発明の「端末入力手段」に相当する。
【０１４４】
また、図３の入力部１０７が、本発明の「機器入力手段」に相当し、無線通信モジュール１０５が、本発明の「機器送信手段」に相当する。また、図１１の機器距離判断タスクにおいて、ＲＦＩＤリーダ１０６にて信号電波を受信したか否かにより、表示端末２１との間の距離を判断する処理を行うＣＰＵ１０１が、本発明の「機器距離判断手段」に相当し、図１３のＳ１０７にて所定のパスワードが入力されたか否かを判断する処理を行うＣＰＵ１０１が、本発明の「機器入力判断手段」に相当し、Ｓ１０９において、表示許可信号を送信する処理を行うＣＰＵ１０１が、本発明の「許可送信制御手段」に相当する。
【０１４５】
また、図１２のＳ１３７において、検出センサ１１０からの受信信号に基づき作業が終了したか否かを判断する処理を行うＣＰＵ１０１が、本発明の「終了検出手段」に相当し、図１３のＳ１１７にて、終了通知信号を送信する処理を行うＣＰＵ１０１が、本発明の「終了通知送信制御手段」に相当し、図１２のＳ１３５において、メンテナンスモードに移行する処理を行うＣＰＵ１０１が、本発明の「モード切替手段」に相当する。
【０１４６】
なお、本発明は上記実施の形態に限定されるものではなく、種々の変更が可能である。以下、本発明の第二の実施の形態、第三の実施の形態、及び第四の実施の形態について説明する。
＜第二の実施の形態＞
【０１４７】
以下に、本実施の形態の第二の実施の形態について、図面を参照して説明する。第二の実施の形態では、表示端末２１に表示される許可要求データ及びマニュアルの表示データは、作業対象機器１１のハードディスク１０９に記憶されている。そして、表示端末２１に許可要求データを表示させるタイミングで、作業対象機器１１から表示端末２１に対して送信される。表示端末２１では、作業対象機器１１より許可要求データを受信し、受信した許可要求データ及びマニュアルの表示データを表示部２２に表示させる。これにより、作業対象機器１１毎に異なる許可要求データを表示端末２１に表示させることが可能となり、また、マニュアルの表示データは必要な場合にのみ表示端末２１に記憶されるので、マニュアル漏えいを防止することが可能となる。
【０１４８】
以下、図１４〜図１６を参照して説明する。図１４は、表示端末２１のＣＰＵ２０１により実行される端末受信タスクのフローチャートである。また図１５は、ＣＰＵ２０１により実行されるデータ表処理のフローチャートである。また図１６は、作業対象機器１１のＣＰＵ１０１において実行される機器メインタスクのフローチャートである。
【０１４９】
なお、ＣＰＵ２０１にて実行される他のタスク（端末距離判断タスク（図５参照）、端末入力監視タスク（図７参照）、端末メインタスク（図８、図９参照））は、既述の第一の実施の形態と同様であるので説明を省略する。また、図６に示す第一の実施の形態における端末受信タスク、及び図９に示す第一の実施の形態におけるデータ表示処理と共通する処理部分については、説明を省略又は簡略する。
【０１５０】
また、ＣＰＵ１０１において実行される他のタスク（機器距離判断タスク（図１１参照）、機器終了監視タスク（図１２参照））は、既述の第一の実施の形態と同様であるので説明を省略する。また、図１３に示す第一の実施の形態における機器メインタスクと共通する処理部分については、説明を省略又は簡略する。
【０１５１】
第二の実施の形態におけるＣＰＵ２０１の処理時に使用されるフラグとしては、第一の実施の形態と同様のフラグに加えて、第三受信フラグが使用される。第三フラグは、作業対象機器１１より許可要求データ及びマニュアルの表示データを受信したか否かを示すために使用される。そして、端末受信タスクにおいて、ＣＰＵ２０１が、許可要求データ及びマニュアルの表示データを受信していると判断した場合に「１」が記憶され、未だ許可要求データ及びマニュアルの表示データを受信していないと判断した場合に「０」が記憶される。
【０１５２】
なお、第二の実施の形態におけるＣＰＵ１０１の処理時に使用されるフラグとしては、第一の実施の形態と同様のフラグが使用される。
【０１５３】
以下、上述の各フラグに「１」が記憶された場合には「フラグがＯＮされた」といい、「０」が記憶された場合には「フラグがＯＦＦされた」という。
【０１５４】
第二の実施の形態における端末受信タスクの処理について、図１４に示すフローチャートを参照して説明する。端末受信タスクでは、ＣＰＵ２０１は無線通信モジュール２０５を介して信号電波を受信する。そして受信した信号電波を復調した信号を判断し、作業対象機器１１より送信された電波信号の内容を判断する。
【０１５５】
図１４に示すように、ＣＰＵ２０１は、電池接続センサ２１５より通知される電池電圧を監視し、電池の接続状態を監視する（Ｓ２０１）。ここで、ＣＰＵ２０１が、電池２１３が取り外されたと判断した場合には（Ｓ２０１：ＹＥＳ）、継続中の処理を終了し、後処理（設定パラメータ等のＥＥＰＲＯＭ２０４へのバックアップ）等を行った後、端末受信タスクの処理を終了する。
【０１５６】
電池２１３が接続されている状態であると判断した場合（Ｓ２０１：ＮＯ）、ＣＰＵ２０１は、無線通信モジュール２０５を介して信号電波を受信し復調する（Ｓ２０２）。ここで、受信した信号が表示許可信号であると判断した場合（Ｓ２０３：ＹＥＳ）、ＣＰＵ２０１は、フラグ記憶領域２０３１に記憶されている第一受信フラグをＯＮとする（Ｓ２０５）。そしてＣＰＵ２０１はＳ２０９の処理に移行する。一方ＣＰＵ２０１は、無線通信モジュール２０５を介して表示許可信号を受信しなかった場合には（Ｓ２０３：ＮＯ）、フラグ記憶領域２０３１に記憶されている第一受信フラグをＯＦＦとする（Ｓ２０７）。そしてＣＰＵ２０１はＳ２０９の処理に移行する。
【０１５７】
Ｓ２０９では、ＣＰＵ２０１は、無線通信モジュール２０５を介して受信した信号が、終了通知信号であると判断した場合（Ｓ２０９：ＹＥＳ）、フラグ記憶領域２０３１に記憶されている第二受信フラグをＯＮとする（Ｓ２１１）そしてＣＰＵ２０１はＳ２１５の処理に移行する。一方、ＣＰＵ２０１は、無線通信モジュール２０５より表示許可信号を受信しなかった場合には（Ｓ２０９：ＮＯ）、フラグ記憶領域２０３１に記憶されている第二受信フラグをＯＦＦとする（Ｓ２１３）。そしてＣＰＵ２０１はＳ２１５の処理に移行する。
【０１５８】
Ｓ２１５では、ＣＰＵ２０１は、無線通信モジュール２０５を介して受信した信号が、表示部２２に表示させる許可要求データ及びマニュアルの表示データであると判断した場合（Ｓ２１５：ＹＥＳ）、ＣＰＵ２０１は、受信した許可要求データをメモリカード２１０に記憶し、受信したマニュアルの表示データをマニュアル記憶領域２１０１に記憶する（Ｓ２１６）。次いでＣＰＵ２０１は、フラグ記憶領域２０３１に記憶されている第三受信フラグをＯＮとする（Ｓ２１７）。そしてＣＰＵ２０１はＳ２０１の処理に戻り、継続して電池２１３の接続状態の確認と、作業対象機器１１より送信された信号電波の受信監視を行う。
【０１５９】
一方、ＣＰＵ２０１は、無線通信モジュール２０５を介して許可要求データ及びマニュアルの表示データを受信しなかった場合には（Ｓ２１５：ＮＯ）、フラグ記憶領域２０３１に記憶されている第三受信フラグをＯＦＦとする（Ｓ２１９）。そしてＣＰＵ２０１はＳ２０１の処理に戻り、継続して電池２１３の接続状態の確認と、作業対象機器１１より送信された信号電波の受信監視を行う。
【０１６０】
図１５を参照し、第二の実施の形態におけるデータ表示処理について説明する。データ表示処理では、ＣＰＵ２０１は、端末距離判断タスクのＳ２２（図５参照）において受信しＲＡＭ２０３に記憶した機器ＩＤを読み出す（Ｓ２２１）。次いでＣＰＵ２０１は、作業対象機器１１と表示端末２１との間の距離が閲覧可能距離未満となっているかどうかを判断する。ここで、距離が閲覧可能距離未満となっている場合には第一許可フラグがＯＮとされており、閲覧可能距離以上である場合には第一許可フラグはＯＦＦとされている。そこでＣＰＵ２０１は、第一許可フラグを確認し、ＯＦＦとなっている場合には（Ｓ２２３：ＮＯ）、一旦表示端末２１は作業対象機器１１に近づいたものの、再度離隔してしまったものと判断する。このような場合に、表示端末２１の表示部２２にマニュアルの表示データを表示させない。そこでＣＰＵ２０１は、表示部２２に対する表示制御を行うことなく処理を終了する。
【０１６１】
第一許可フラグがＯＮとされており、表示端末２１と作業対象機器１１との間の距離が閲覧可能距離未満であると判断された場合（Ｓ２２３：ＹＥＳ）、ＣＰＵ２０１は、次いで作業対象機器１１より許可要求データ及びマニュアルの表示データを受信しているかどうかを判断する（Ｓ２２５）。許可要求データ及びマニュアルの表示データを受信している場合、第三受信フラグがＯＮとされている（Ｓ２１７、図１４参照）。そこでＣＰＵ２０１は、第三受信フラグを確認する。そして第三受信フラグがＯＦＦとされており、許可要求データ及びマニュアルの表示データを受信していないと判断した場合には（Ｓ２２５：ＮＯ）、表示部２２に表示させるべき許可要求データ及びマニュアルの表示データを未だ受信していない状態であるので、ＣＰＵ２０１はＳ２２３の処理に戻り、継続して第一許可フラグと第三受信フラグの確認を行う。そして、表示端末２１と作業対象機器１１との間の距離と、許可要求データ及びマニュアルの表示データの受信とを監視する。
【０１６２】
一方、第三受信フラグがＯＮとされており、許可要求データ及びマニュアルの表示データを受信したと判断された場合には（Ｓ２２５：ＹＥＳ）、ＣＰＵ２０１は、表示制御部２１２を制御し、Ｓ２１６（図１４参照）の処理においてメモリカード２１０に記憶した許可要求データを読み出し、表示部２２に表示させる（Ｓ２２７）。ここで許可要求データとは、作業対象機器１１に対して表示許可信号を送信させるために、作業対象機器１１に対して行うべき入力操作が示された表示データである（図１０参照）。
【０１６３】
作業対象機器１１では、この状態で作業者１により表示部２２に表示されている許可要求データに基づいた入力操作がなされた場合、表示端末２１に対して表示許可信号を送信する（Ｓ３１９、図１６参照、後述）。
【０１６４】
次いでＣＰＵ２０１は、表示端末２１と作業対象機器１１との間の距離が閲覧可能距離未満であり、作業対象機器１１より終了通知信号を受信しておらず、作業対象機器１１より表示許可信号を受信した場合に、マニュアルの表示データを表示部２２より表示可能とする。ＣＰＵ２０１は、はじめに第一許可フラグを確認する（Ｓ２２９）。そして、ＯＮとされている場合には（Ｓ２２９：ＹＥＳ）、次いでＣＰＵ２０１は第二受信フラグを確認する（Ｓ２３１）。そして、ＯＦＦとされている場合に（Ｓ２３１：ＮＯ）、次いでＣＰＵ２０１は第一受信フラグを確認する（Ｓ２３５）。そして、ＯＮとされている場合には（Ｓ２３５：ＹＥＳ）、ＣＰＵ２０１は、Ｓ２１６（図１４参照）においてマニュアル記憶領域２１０１に記憶したマニュアルの表示データを表示部２２より表示可能な状態とするために、第二許可フラグをＯＮとする（Ｓ２３７）。そしてＳ２２９の処理に移行する。
【０１６５】
なお、第二許可フラグがＯＮとされた状態で、作業者１により入力部２０７を介して入力操作がなされた場合、ＣＰＵ２０１は、Ｓ２１６（図１４参照）においてマニュアル記憶領域２１０１に記憶したマニュアルの表示データをマニュアル記憶領域２１０１より読みだす。そして、読みだしたマニュアルの表示データを表示部２２に表示させる（Ｓ３５、図７参照）。
【０１６６】
一方、ＣＰＵ２０１は、第一許可フラグがＯＦＦとされているか（Ｓ２２９：ＮＯ）、第二受信フラグがＯＮとされている場合（Ｓ２３１：ＹＥＳ）には、表示部２２に表示中の表示データを消去する処理を行う。
【０１６７】
表示部２２に許可要求データが表示されている状態であれば（Ｓ２３９：ＹＥＳ）、ＣＰＵ２０１は、表示制御部２１２を制御して許可要求データを消去させる（Ｓ２４１）。そしてデータ表示処理を終了し、端末メインタスク（図８参照）に戻る。また、表示部に許可要求データが表示されていない場合であっても（Ｓ２３９：ＮＯ）、マニュアルの表示データが表示されている状態であれば（Ｓ２４３：ＹＥＳ）、ＣＰＵ２０１は、表示制御部２１２を制御してマニュアルの表示データを消去させる（Ｓ２４５）。そしてデータ表示処理を終了し、端末メインタスク（図８参照）に戻る。また、マニュアルの表示データが表示されていない状態であれば（Ｓ２４３：ＮＯ）、ＣＰＵ２０１はそのまま処理を終了し、端末メインタスクに戻る。
【０１６８】
一方、表示端末２１と作業対象機器１１との間の距離が閲覧可能距離未満であり（Ｓ２２９：ＹＥＳ）、終了通知信号を受信していない場合（Ｓ２３１：ＮＯ）であっても、作業対象機器１１より表示許可信号を受信していない場合には（Ｓ２３５：ＮＯ）、ＣＰＵ２０１は、Ｓ２２９に戻って繰返し上述の処理を繰り返す。
【０１６９】
次に、図１６を参照し、第二の実施の形態における機器メインタスクの処理について説明する。機器メインタスクにおいては、ＣＰＵＩ１０１は、はじめに作業対象機器１１と表示端末２１との間の距離が閲覧可能距離未満となっているか否かを判断する（Ｓ３１１）。ここで、ＣＰＵ１０１は、解除フラグを確認する。そして解除フラグがＯＦＦとなっており、表示端末２１との間の距離が閲覧可能距離以上であると判断した場合には（Ｓ３１１：ＮＯ）ＣＰＵ１０１は、表示端末２１に対してマニュアルの表示データを表示させないので、Ｓ３１１に戻って繰返し表示端末２１との距離を監視する。
【０１７０】
一方、解除フラグがＯＮとされており、表示端末２１との間の距離が閲覧可能距離未満であると判断した場合（Ｓ３１１：ＹＥＳ）、ＣＰＵ１０１は、次いで許可要求データを無線通信モジュール１０５を介して送信し（Ｓ３１２）、次いでマニュアルの表示データを無線通信モジュール１０５を介して送信する（Ｓ３１３）。次いで、送信した許可要求データが表示端末２１の表示部２２に表示され（図１５、Ｓ２２７参照）、これを参照した作業者１により作業対象機器１１に対して所定入力操作がなされたかどうかを判断する。ＣＰＵ１０１は、前面のドアが開けられた状態で、入力部１０７を介して作業者１によりパスワードが入力されたかどうかを判断する（Ｓ３１４）。そして、検出センサ１１０により前面のドアが閉鎖状態であることを確認するか、又は、入力部１０７を介して何ら入力がされなかったと判断した場合（Ｓ３１４：ＮＯ）、表示端末２１に対してマニュアルの表示データを表示させないので、ＣＰＵ１０１は、Ｓ３１１に戻って繰返し表示端末２１との距離の監視と、所定の入力操作とを監視する（Ｓ３１１、Ｓ３１３）。
【０１７１】
一方ＣＰＵ１０１は、検出センサ１１０が前面のドアが開いた状態となっていることを検出している状態で、入力部１０７を介して作業者１よりパスワードの入力操作がなされたことを検出した場合（Ｓ３１４：ＹＥＳ）、予めハードディスク１０９に記憶されているパスワードと、入力されたパスワードとを比較照合する（Ｓ３１５）。ここで双方が一致しない場合には（Ｓ３１７：ＮＯ）、ＣＰＵ１０１は入力されたパスワードが無効であると判断し、以下特段の処理を行うことなく機器メインタスクの処理を終了する。
【０１７２】
予めハードディスク１０９に記憶されているパスワードと、入力されたパスワードとが一致する場合には（Ｓ３１７：ＹＥＳ）、ＣＰＵ１０１は、表示端末２１に対して、Ｓ３１３にて送信したマニュアルの表示データの表示を許可させるために、無線通信モジュール１０５を介して表示許可信号を送信する（Ｓ３１９）。次いでＣＰＵ１０１は、作業対象機器１１を作業者１による作業が可能な状態とし、作業対象機器１１が作業中の状態であることを示すために、作業モードフラグをＯＮとする（Ｓ３２１）。
【０１７３】
そしてこの状態でＣＰＵ１０１は、作業対象機器１１と表示端末２１との間の距離を監視する。作業対象機器１１と表示端末２１との間の距離が閲覧可能距離以上となった場合には、解除フラグがＯＦＦとされる。これをＣＰＵ１０１が検出した場合には（Ｓ３２３：ＹＥＳ）、表示端末２１が作業対象機器１１から離隔してしまったため、継続して表示端末２１の表示部２２に表示データを表示させる必要はないと判断し、ＣＰＵ１０１は機器メインタスクを終了させる。
【０１７４】
一方、解除フラグはＯＮとなっており、作業対象機器１１と表示端末２１との間の距離が閲覧可能距離未満となっている状態であっても（Ｓ３２３：ＮＯ）、前面のドアが閉鎖され、これを検出センサ１１０が検出した場合には、ＣＰＵ１０１は作業者１の作業対象機器１１に対する作業が終了したと判断する。このような場合には、表示端末２１の表示部２２に表示されている状態のマニュアルの表示データをこれ以上表示させてはならず、消去しなければならない。そこでＣＰＵ１０１は、作業終了フラグがＯＦＦとされている場合には（Ｓ３２５：ＹＥＳ）、表示端末２１に対して終了通知信号を送信し、表示端末２１の表示部２２に表示されている状態のマニュアルの表示データを消去させる（Ｓ３２７）。次いでＣＰＵ１０１は、作業対象機器１１を作業者１による作業が不可能な状態とし、作業対象機器１１が作業中でない状態であることを示すために、作業モードフラグをＯＦＦとする（Ｓ３２８）。そして機器メインタスクを終了する。
【０１７５】
またＣＰＵ１０１は、前面のドアは開放状態となっており、作業者１による作業が継続中であると判断した場合には（Ｓ３２５：ＮＯ）、ＣＰＵ１０１はＳ３１１に戻って、繰り返し上述の処理を実行する。
【０１７６】
以上説明したように、表示端末２１は、作業対象機器１１より受信した許可要求データを表示部２２に表示させるので、予め許可要求データをメモリカード２１０に記憶しておく必要がなくなる。これにより、表示端末２１が備えるべきメモリカード２１０の記憶容量を抑制し、表示端末２１のコストを低く抑えることが可能となる。
【０１７７】
また、表示端末２１は作業対象機器１１より受信した許可要求データを表示部２２に表示させるので、作業対象機器１１側で許可要求データの内容を変更することが可能となる。これにより、作業対象機器１１毎で表示許可信号を送信させるために必要な入力操作の方法が異なる場合であっても、当該入力操作の方法を許可要求データとして表示端末２１の表示部２２に表示させることが可能となる。
【０１７８】
さらに、作業対象機器１１側で表示許可信号の送信のために必要な入力操作を変化させることにより、容易に表示許可信号を表示させないように制御することが可能となるので、表示端末２１の表示部２２に表示させる表示データの秘密性をさらに強く保持することが可能となる。
【０１７９】
また、表示端末２１は、作業対象機器１１より受信したマニュアルの表示データを表示部２２に表示させるので、予めマニュアルの表示データをメモリカード２１０のマニュアル記憶領域２１０１に記憶しておく必要がなくなる。これにより、表示端末２１が備えるべきメモリカード２１０の記憶容量を抑制し、表示端末２１にコストを低く抑えることが可能となる。
【０１８０】
また、表示端末２１は、マニュアルの表示データを表示部２２に表示させない状態では、マニュアルの表示データはメモリカード２１０に記憶されない状態となるので、マニュアルの表示データが盗用されることを防止し、マニュアルの秘密性をさらに強く保持することが可能となる。
【０１８１】
なお、図１４のＳ２１５にてマニュアルの表示データを受信したか否かの判断を行うＣＰＵ２０１が、本発明の「表示データ判断手段」に相当し、許可要求データを受信したか否かの判断を行うＣＰＵ２０１が、本発明の「許可要求データ判断手段」に相当する。また、図１４のＳ２１６にてマニュアルの表示データをマニュアル記憶領域２１０１に記憶する処理を行うＣＰＵ２０１が、本発明の「端末記憶制御手段」に相当する。また、図１５のＳ２２７にて許可要求データを表示部２２に表示させる制御を行うＣＰＵ２０１が、本発明の「第二表示制御手段」に相当する。
【０１８２】
また、図３のハードディスク１０９が、本発明の「機器記憶手段」に相当し、図１６のＳ３１２にて許可要求データを送信する制御を行うＣＰＵ１０１が、本発明の「表示指示送信制御手段」に相当し、Ｓ３１２にてマニュアルの表示データを送信する制御を行うＣＰＵ１０１が、本発明の「端末記憶制御手段」に相当する。
＜第三の実施の形態＞
【０１８３】
以下に、本実施の形態の第三の実施の形態について、図面を参照して説明する。図１７は、第三の実施の形態における表示端末２１の電気的構成を示す模式図であり、図１８は、第三の実施の形態における作業対象機器１１の電気的構成を示す模式図である。また、図１９は、第三の実施の形態における端末距離判断タスクのフローチャートである。また図２０は、第三の実施の形態における機器距離判断タスクのフローチャートである。
【０１８４】
なお、ＣＰＵ２０１にて実行される他のタスク（端末受信タスク（図６参照）、端末入力監視タスク（図７参照）、端末メインタスク（図８、図９参照））は、既述の第一の実施の形態と同様であるので説明を省略する。また、図５に示す第一の実施の形態における端末距離判断タスクと共通する処理部分については、説明を省略又は簡略する。
【０１８５】
また、ＣＰＵ１０１にて実行される他のタスク（機器終了監視タスク（図１２参照）、機器メインタスク（図１３参照））は、記述の第一の実施の形態と同様であるので説明を省略する。また、図１１に示す第一の実施の形態における機器距離判断タスクと共通する処理部分については、説明を省略又は簡略する。
【０１８６】
第三の実施の形態では、表示端末２１は、図１７に示すように、第一の実施の形態におけるＲＦＩＤタグ２０６の代わりに、ＲＦＩＤリーダ２１６を備えている。また作業対象機器１１は、図１８に示すように、第一の実施の形態におけるＲＦＩＤリーダ１０６の代わりに、ＲＦＩＤタグ１１６を備えている。そして、表示端末２１は、ＲＦＩＤリーダ２１６より送信した信号電波に対して、作業対象機器１１が備えるＲＦＩＤタグ１１６より応答信号を受信した場合に、表示端末２１と作業対象機器１１との間の距離が閲覧可能距離未満であると判断する。また、作業対象機器１１は、表示端末２１が備えるＲＦＩＤリーダ２１６より送信された信号電波を受信できた場合に、作業対象機器１１と表示端末２１との間の距離が閲覧可能距離未満であると判断する。以上の処理を実行することによって、表示端末２１及び作業対象機器１１は双方間の距離を判断している。なお、表示端末２１、及び作業対象機器１１とも、その他の構成は第一の実施の形態と同様であるので、説明を省略する。
【０１８７】
図１９を参照し、端末距離判断タスクの処理について説明する。端末距離判断タスクでは、ＣＰＵ２０１は、表示端末２１と作業対象機器１１との距離が閲覧可能距離未満となるかどうかを継続して監視している。図１９に示すように、ＣＰＵ２０１は、はじめに電池接続センサ２１５より通知される電池電圧を監視する（Ｓ２５１）。ここで、電池接続センサ２１５より通知された電池電圧が所定値未満となっており、電池２１３が取り外されたと判断した場合には（Ｓ２５１：ＹＥＳ）、継続中の処理を終了し、後処理（設定パラメータ等のＥＥＰＲＯＭ２０４へのバックアップ）等を行った後、端末距離判断タスクの処理を終了する。
【０１８８】
電源電圧監視機能にて検出された電圧が所定値以上であり、電源が切断されていないと判断した場合（Ｓ２５１：ＮＯ）、ＣＰＵ２０１は、ＲＦＩＤリーダ２１６を介して所定の信号電波を送信する（Ｓ２５３）。
【０１８９】
次いでＣＰＵ２０１は、ＲＦＩＤリーダ２１６を介し信号電波を受信したかどうかを判断する。ここで、表示端末２１が作業対象機器１１に近接した状態となり、Ｓ２５３にて送信された電波信号をＲＦＩＤタグ１１６にて受信した場合、応答信号がＲＦＩＤタグ１１６より送信される（Ｓ３０４、図２０参照、後述）。そしてこの応答信号がＲＦＩＤリーダ２１６を介して受信され復調される。
【０１９０】
ＣＰＵ２０１は、ＲＦＩＤリーダ２１６を介して応答信号を受信したと判断した場合（Ｓ２５５：ＹＥＳ）、ＣＰＵ２０１は、作業対象機器１１と表示端末２１との間の距離が閲覧可能距離未満となっていると判断する。次いでＣＰＵ２０１は、作業対象機器１１から所定距離内に表示端末２１が存在していることを示すため、フラグ記憶領域２０３１に記憶されている第一許可フラグをＯＮとする（Ｓ２５７）。そしてＣＰＵ２０１はＳ２５１の処理に戻り、継続して電源の接続状態の確認と、作業対象機器１１と表示端末２１との間の距離の監視を行う。
【０１９１】
一方、ＣＰＵ２０１は、ＲＦＩＤリーダ２１６を介し応答信号を受信しなかった場合（Ｓ２５５：ＮＯ）、ＣＰＵ２０１は、表示端末２１から閲覧可能距離未満に作業対象機器１１が存在していないと判断する。この場合ＣＰＵ２０１は、フラグ記憶領域２０３１に記憶されている第一許可フラグをＯＦＦとする（Ｓ２５９）。そしてＣＰＵ２０１はＳ２５１の処理に戻り、継続して電源の接続状態の確認と、作業対象機器１１と表示端末２１との間の距離の監視を行う。
【０１９２】
図２０を参照し、機器距離判断タスクのフローチャートについて説明する。機器距離判断タスクでは、ＣＰＵ１０１は、ＣＰＵ１０１に内蔵された電源電圧監視機能を使用し、電池電圧を監視する（Ｓ３０１）。ここで、電源電圧の低下を検出し、電源が切断されたと判断した場合には（Ｓ３０１：ＹＥＳ）、ＣＰＵ１０１は、継続中の処理を終了し、後処理（設定パラメータ等のＥＥＰＲＯＭ１０４へのバックアップ）等を行った後、機器距離判断タスクの処理を終了する。
【０１９３】
電源電圧監視機能による監視の結果、電源電圧の低下を検出せず、電源が接続されている状態であると判断した場合（Ｓ３０１：ＮＯ）、ＣＰＵ１０１は、接続されているＲＦＩＤタグ１１６よりデータを受信したかどうかを判断する。ここで、表示端末２１は、継続してＲＦＩＤリーダ２１６より信号電波を送信している（Ｓ２５３、図１９参照）。そして表示端末２１が作業対象機器１１に近接した場合、ＲＦＩＤリーダ２１６より送信された電波信号がＲＦＩＤタグ１１６を介して受信され復調される。
【０１９４】
ＣＰＵ１０１は、ＲＦＩＤタグ１１６を介して復調信号を受信し、信号電波を受信したと判断した場合（Ｓ３０３：ＹＥＳ）、表示端末２１との間の距離が閲覧可能距離未満となっていると判断する。この場合、ＣＰＵ１０１は、ＲＦＩＤタグ１１６を介してＲＦＩＤリーダ２１６に対して応答信号を送信する（Ｓ３０４）。次いでＣＰＵ１０１は、作業対象機器１１から閲覧可能距離未満に表示端末２１が存在していることを示すために、フラグ記憶領域１０３１に記憶されている解除フラグをＯＮとする（Ｓ３０５）。そしてＣＰＵ１０１はＳ３０１の処理に戻り、継続して電源の接続状態の確認と、表示端末２１と作業対象機器１１との間の距離の監視を行う。
【０１９５】
一方、ＣＰＵ１０１は、ＲＦＩＤタグ１１６を介して応答信号を受信しなかった場合（Ｓ３０３：ＮＯ）、ＣＰＵ１０１は閲覧可能距離未満に表示端末２１が存在していないと判断する。この場合ＣＰＵ１０１は、フラグ記憶領域１０３１に記憶されている解除フラグをＯＦＦとする（Ｓ３０７）。そしてＣＰＵ１０１はＳ３０１の処理に戻り、継続して電源の接続状態の確認と、表示端末２１と作業対象機器１１との間の距離の監視を行う。
【０１９６】
以上説明したように、表示端末２１はＲＦＩＤリーダ２１６を備えている。そして、ＲＦＩＤリーダ２１６より送信される電波信号に対して、作業対象機器１１が有するＲＦＩＤタグ１１６より返信される応答電波信号を受信可能であるか否かにより、表示端末との間の距離を判断する。これにより、安価で容易に表示端末との間の距離を判断することが可能となるので、表示端末２１のコストを抑制することが可能となる。
【０１９７】
また、作業対象機器１１はＲＦＩＤタグ１１６を備えている。そして、ＲＦＩＤリーダ２１６より送信される電波信号を受信可能であるか否かにより、表示端末２１との間の距離を判断する。これにより、安価で容易に表示端末２１との間の距離を判断することが可能となるので、作業対象機器１１のコストを抑制することが可能となる。
【図面の簡単な説明】
【０１９８】
【図１】マニュアル閲覧システム１００の概要を示す模式図である。
【図２】表示端末２１の電気的構成を示す模式図である。
【図３】作業対象機器１１の電気的構成を示す模式図である。
【図４】マニュアル記憶領域２１１を示した模式図である。
【図５】端末距離判断タスクのフローチャートである。
【図６】端末受信タスクのフローチャートである。
【図７】端末入力監視タスクのフローチャートである。
【図８】端末メインタスクのフローチャートである。
【図９】データ表示処理のサブルーティンフローチャートである。
【図１０】表示部２２に表示された状態の許可要求データの一例を示している。
【図１１】機器距離判断タスクのフローチャートである。
【図１２】機器終了監視タスクのチャートである。
【図１３】機器メインタスクのフローチャートである。
【図１４】第二の実施の形態における端末受信タスクのフローチャートである。
【図１５】第二の実施の形態におけるデータ表処理のフローチャートである。
【図１６】第二の実施の形態における機器メインタスクのフローチャートである。
【図１７】第三の実施の形態における表示端末２１の電気的構成を示す模式図である。
【図１８】第三の実施の形態における作業対象機器１１の電気的構成を示す模式図である。
【図１９】第三の実施の形態における端末距離判断タスクのフローチャートである。
【図２０】第三の実施の形態における機器メインタスクのフローチャートである。
【符号の説明】
【０１９９】
１１      作業対象機器
２１      表示端末
２２      表示部
１００    マニュアル閲覧システム
１０１    ＣＰＵ
１０５    無線通信モジュール
１０６    ＲＦＩＤリーダ
１０７    入力部
１０９    ハードディスク
１１０    検出センサ
１１６    ＲＦＩＤタグ
２０１    ＣＰＵ
２０５    無線通信モジュール
２０６    ＲＦＩＤタグ
２０７    入力部
２１０    メモリカード
２１１    マニュアル記憶領域
２１６    ＲＦＩＤリーダ
１０３１  フラグ記憶領域
２０３１  フラグ記憶領域
２１０１  マニュアル記憶領域
【図１】
2010049600.tif 000003
【図２】
2010049600.tif 000004
【図３】
2010049600.tif 000005
【図４】
2010049600.tif 000006
【図５】
2010049600.tif 000007
【図６】
2010049600.tif 000008
【図７】
2010049600.tif 000009
【図８】
2010049600.tif 000010
【図９】
2010049600.tif 000011
【図１０】
2010049600.tif 000012
【図１１】
2010049600.tif 000013
【図１２】
2010049600.tif 000014
【図１３】
2010049600.tif 000015
【図１４】
2010049600.tif 000016
【図１５】
2010049600.tif 000017
【図１６】
2010049600.tif 000018
【図１７】
2010049600.tif 000019
【図１８】
2010049600.tif 000020
【図１９】
2010049600.tif 000021
【図２０】
2010049600.tif 000022